(57)【要約】【課題】バンドの製造およびメンテナンスが容易で、かつデザインの制約が少なく、また、十分なバンドの発光効果を持ち、さらに、消費電力を少なくすることが可能な装着型電子機器を提供する。【解決手段】所定の波長の光を発する発光素子と、この発光素子が発する光を所定の方向に導光する導光手段とを備え、発光素子が、装着型電子機器の本体に備えられるとともに、装着型電子機器の制御に基づいて発光が制御されるように構成され、導光手段が、装着型電子機器の本体に備えられた本体側導光手段、バンドに備えられたバンド側導光手段のうち少なくとも１つの導光手段を備え、発光素子からの光が、本体側導光手段を介して、装着型電子機器の本体の表面から放出されるように構成されているか、または、発光素子からの光が、バンド側導光手段を介して、バンド表面から放出されるように構成されている。【選択図】図１
2007279020.tif 000002
【特許請求の範囲】
【請求項１】
装着型電子機器を発光させる発光手段を備える装着型電子機器であって、
前記発光手段が、所定の波長の光を発する発光素子と、該発光素子が発する光を所定の方向に導光する導光手段とを備え、
前記発光素子が、装着型電子機器の本体に備えられるとともに、装着型電子機器の制御に基づいて発光が制御されるように構成され、
前記導光手段が、装着型電子機器の本体に備えられた本体側導光手段、バンドに備えられたバンド側導光手段のうち少なくとも１つの導光手段を備え、
前記本体側導光手段が、装着型電子機器の本体の表面に所定の面を向けて配置されるとともに、
前記発光素子からの光が、本体側導光手段を介して、装着型電子機器の本体の表面から放出されるように構成されているか、または、
前記バンド側導光手段が、バンドの表面に所定の面を向けて配置されるとともに、
前記発光素子からの光が、バンド側導光手段を介して、バンド表面から放出されるように構成されていることを特徴とする装着型電子機器。
【請求項２】
前記導光手段が、装着型電子機器の本体に備えられた本体側導光手段と、バンドに備えられたバンド側導光手段とを備え、
前記発光素子から発せられた光が、本体側導光手段を介して、バンド側導光手段に導光されて、バンド側導光手段を介して、バンドの表面から放出されるように構成されていることを特徴とする請求項１に記載の装着型電子機器。
【請求項３】
前記導光手段が、装着型電子機器の本体に備えられた本体側導光手段と、バンドに備えられたバンド側導光手段とを備え、
前記発光素子からの光が、本体側導光手段を介して、装着型電子機器の本体の表面から放出されるように構成されているとともに、
前記発光素子から発せられた光が、本体側導光手段を介して、バンド側導光手段に導光されて、バンド側導光手段を介して、バンドの表面から放出されるように構成されていることを特徴とする請求項１に記載の装着型電子機器。
【請求項４】
前記バンド側導光手段が、バンドの表面または内部に備えられていることを特徴とする請求項１から３のいずれか１つに記載の装着型電子機器。
【請求項５】
前記発光素子が、装着型電子機器の本体に複数個設けられ、それぞれの発光素子に対応して、複数個のバンド側導光手段がバンドに備えられていることを特徴とする請求項１から４のいずれか１つに記載の装着型電子機器。
【請求項６】
前記バンド側導光手段が、装着型電子機器の本体から離間するにつれて漸次その幅が小さくなるように形成されていることを特徴とする請求項１から５のいずれか１つに記載の装着型電子機器。
【請求項７】
前記バンドの表面に遮光性の指標部が形成されていることを特徴とする請求項１から６のいずれか１つに記載の装着型電子機器。
【請求項８】
前記バンドの表面が、遮光性であって、バンドの表面に指標開口部が形成されていることを特徴とする請求項１から７のいずれか１つに記載の装着型電子機器。
【請求項９】
前記本体側導光手段側の表面に、遮光性の指標部が形成されていることを特徴とする請求項１から８のいずれか１つに記載の装着型電子機器。
【請求項１０】
前記本体側導光手段側の表面が、遮光性であって、本体側導光手段側の表面に指標開口部が形成されていることを特徴とする請求項１から８のいずれか１つに記載の装着型電子機器。
【請求項１１】
前記導光手段の発光側表面に、前記発光素子からの光のうち、所定の波長の光のみを透過させるフィルターが配置されていることを特徴とする請求項１から１０のいずれか１つに記載の装着型電子機器。
【請求項１２】
前記フィルターの表面に、前記発光素子からの光のうち、フィルターを透過した所定の波長の光により発光する指標部が形成されていることを特徴とする請求項１１に記載の装着型電子機器。
【請求項１３】
前記発光素子が、ＬＥＤ発光素子、紫外線発光素子、電子線発光素子から選択した少なくとも１つの発光素子から構成されていることを特徴とする請求項１から１２のいずれか１つに記載の装着型電子機器。
【請求項１４】
前記バンド側導光手段が、光ファイバーから構成されていることを特徴とする請求項１から１３のいずれか１つに記載の装着型電子機器。
【請求項１５】
前記バンド側導光手段が、両面に回折格子を備えた導光部材から構成されていることを特徴とする請求項１から１３のいずれか１つに記載の装着型電子機器。
【請求項１６】
前記発光素子とバンド側導光手段との間に、液晶素子が配置され、
前記バンド側導光手段の表面に、相互に直交する偏向角を有する複数の指標偏向部材が設けられ、
前記液晶素子に印加する電圧を変化させることにより、複数の指標偏向部材を選択して散光させるように構成されていることを特徴とする請求項１に記載の装着型電子機器。
【請求項１７】
前記導光手段が、蓄光手段を備え、導光手段が導光する光を蓄光するように構成されていることを特徴とする請求項１から１６のいずれか１つに記載の装着型電子機器。
【請求項１８】
前記蓄光手段が、導光手段に隣接して備えられていることを特徴とする請求項１７に記載の装着型電子機器。
【請求項１９】
前記蓄光手段を備えた導光手段が、バンド側導光手段であることを特徴とする請求項１７または１８のいずれか１つに記載の装着型電子機器。
【請求項２０】
請求項１から１９のいずれか１つに記載の装着型電子機器を用いた使用者の生体情報を測定する生体測定装置であって、
前記発光素子からの光が、装着型電子機器の本体に備えられた本体側導光手段、バンドに備えられたバンド側導光手段のうち少なくとも１つの導光手段を介して、
装着型電子機器の本体の表面、バンドの表面からの少なくとも１つの表面から放出されることによって、生体情報を報知するように構成されていることを特徴とする生体測定装置。
【請求項２１】
前記生体測定装置が、
前記使用者の生体情報を検出し、該生体情報から所定の生体情報値を算出する生体情報値算出手段と、
前記使用者の使用者情報を入力する使用者情報入力手段と、
前記使用者情報と生体情報値とを比較する比較演算手段と、
前記比較演算手段の比較結果に応じて支援情報を報知する報知手段とを備え、
前記報知手段が、発光素子からの光が、装着型電子機器の本体に備えられた本体側導光手段、バンドに備えられたバンド側導光手段のうち少なくとも１つの導光手段を介して、
装着型電子機器の本体の表面、バンドの表面からの少なくとも１つの表面から放出されることによって、支援情報を報知する第１の報知手段を備えることを特徴とする請求項２０に記載の生体測定装置。
【請求項２２】
前記報知手段が、文字または絵文字を用いて支援情報を報知する第２の報知手段をさらに備えることを特徴とする請求項２１に記載の生体測定装置。
【請求項２３】
前記生体測定装置が、運動トレーニングを行う使用者へ助言を与える機能を有する身体装着型運動トレーニング支援装置であって、
前記生体情報値算出手段が、使用者の生体情報を検出し、該生体情報から心拍数を算出する心拍数算出手段を備え、
前記比較演算手段が、使用者情報と心拍数とを比較する心拍数比較演算手段を備え、
前記報知手段が、心拍数比較演算手段の比較結果に応じて支援情報を報知する心拍数報知手段を備えることを特徴とする請求項２０から２２のいずれか１つに記載の生体測定装置。
【請求項２４】
前記報知手段が、前記第２の報知手段より先に、第１の報知手段が支援情報を報知するように構成されていることを特徴とする請求項２２または２３のいずれか１つに記載の生体測定装置。
【請求項２５】
前記生体測定装置が、脈波を測定するため脈波測定装置、体温を測定するための体温測定装置、発汗度を測定するための発汗測定装置のうちの少なくとも１つ、またはそれらの組み合わせの測定装置であることを特徴とする請求項２０から２４のいずれか１つに記載の生体測定装置。
【発明の詳細な説明】
【技術分野】
【０００１】
本発明は、装着型電子機器を発光させる発光手段を備える装着型電子機器、例えば、電子腕時計などを構成するバンドや本体に発光手段を有するような装着型電子機器、および、装着型電子機器を用いた生体測定装置に関する。
【０００２】
また、本発明は、例えば、脈波を測定するため脈波測定装置、体温を測定するための体温測定装置、発汗度を測定するための発汗測定装置などを備えた装着型電子機器を用いた使用者の生体情報を測定する生体測定装置、特に、運動トレーニングを行う使用者へ助言を与える機能を備えた身体装着型運動トレーニング支援装置に関する。
【背景技術】
【０００３】
電子腕時計においては、小型のランプやＬＥＤ（Ｌｉｇｈｔ  Ｅｍｉｔｔｉｎｇ  Ｄｉｏｄｅ）、物質が励起源から得たエネルギーで光を放出するＥＬ（Ｅｌｅｃｔｒｏ  Ｌｕｍｉｎｅｓｃｅｎｃｅ）素子などの発光手段を備えており、暗い場所であっても表示装置を照射することによって、時刻情報などを読み取ることができる。
【０００４】
近年では、表示装置以外を照射するか、あるいは時計本体を発光させる機能を有する電子腕時計が提案されている。このような電子腕時計は、時計本体の側面などに発光手段を備え、懐中電灯のように周囲を照らしたり、時計本体の一部が発光するものであって、電子腕時計自体のファッション性や他者からの視認性向上の目的でなされているものである。
【０００５】
特に、電子腕時計本体に接続するバンドに発光体を設けるものにおいては、発光する面積を比較的大きくすることができるために、表示装置部分の発光だけでは表現不可能な発光の演出ができるばかりか、周囲からの視認性が向上することにより夜間の装着においては、目立つことにより安全性も向上することが知られている。（例えば、特許文献１（特開平１１−１０３９１２号公報）、特許文献２（登録実用新案第３０６３３３９号公報）参照。）。
【０００６】
特許文献１に示した従来技術は、電子腕時計のバンドにＥＬ素子を備えている。このＥＬ素子によりバンドが発光するために、装身具としてのファッション性が向上することや、可撓性の高いＥＬ素子を使用するため発光手段の耐久性が向上する旨の記載がある。
【０００７】
図を用いて説明する。図２３は、特許文献１に示した従来技術を説明しやすいようにその主旨を逸脱しない程度に書き直した図である。１００は電子腕時計本体、１０１はバンド、１０２はケーシング、１０３は電源部、１０４はスイッチ手段、１０５は電池、１０６はＥＬ素子である。
【０００８】
特許文献１に示した従来技術は、電子腕時計本体１００に接続しているバンド１０１にＥＬ素子１０６を設け、このＥＬ素子１０６が発光するものである。透明または半透明の樹脂部材で構成されるバンド１０１に設置されたＥＬ素子１０６に対して、バンド１０１に設けたケーシング１０２内部に設置された電池１０５から電力を供給する。
【０００９】
電源部１０３では、電池１０５からの電力供給を制御することによって、ＥＬ素子１０６への給電方法を定常的、間欠的、過渡的など変化させて、所定の発光パターンを生成する。また、電源部１０３には図示しない振動センサを設置し、使用者の動きをトリガにして発光を行うこともできる。ケーシング１０２に設置されたスイッチ手段１０４を操作す
ることによって、図示しない振動センサのセンシングを有効または無効に切り替えることもできる。
【００１０】
特許文献２に示した従来技術は、電子腕時計の文字盤とバンドとにＥＬ素子を備えている。図を用いて説明する。図２４は、特許文献２に示した従来技術を説明しやすいようにその主旨を逸脱しない程度に書き直した図である。
【００１１】
２００は電子腕時計本体、２０１は文字盤、２０２はバンド、２０３はフレキシブルパネル、２０４はスイッチ手段、２９１〜２９８はＥＬ素子である。ＥＬ素子２９１〜２９８は個々が所定の絵柄（例えば、イルカ）が表示できるようになっており、通電することにより発光し、文字盤２０１の背面およびフレキシブルパネル２０３上に配置されている。
【００１２】
また、フレキシブルパネル２０３はバンド２０２内部に配置されている。バンド２０２は、ＥＬ素子２９１〜２９８の発光を外部から視認できるように、透光性をもつ部材により構成されている。文字盤２０１は、ＥＬ素子２９４，２９５が、外部から視認することができるように開口している。
【００１３】
フレキシブルパネル２０３は、電子腕時計本体２００の図示しない開口部を通り、電子腕時計本体２００内部に配置された図示しない制御部と電気的に接続されている。この制御部は、ＥＬ素子２９１〜２９８を所定のパターンで発光制御し、例えば、イルカの絵柄がバンド２０２上を移動したり、バンド２０２から文字盤２０１に移動したりといった演出効果をもたらす。
【００１４】
また、スイッチ手段２０４は、それ自身が発光開始のトリガとなったり、あるいは発光開始のトリガとなる図示しない振動センサや角度センサを有効化または無効化する手段となるのである。
【００１５】
このような構成とすることによって、文字盤とバンドとが一体に発光するように見え、遊び心と夜間歩行時の視認性が向上する旨の記載がある。
一般に、人間が活動するときに必要な所謂エネルギー源は、たんぱく質，糖質，脂質の３つであるといわれている。この３つは常に均等にエネルギーに変換されるのではなく、人間の活動状況に応じて順番がある。
【００１６】
このうち、もっとも後に変換されるのがたんぱく質であって、たんぱく質は、糖質や脂質をエネルギーに変換しつくしたときに筋肉などを分解してエネルギーとするものである。従って、通常の生活や運動状態においては、そのエネルギー源は、糖質と脂質との２つを考えればよい。
【００１７】
糖質と脂質とは、運動強度によってその使われ方が異なっている。運動強度が上がるほど肝臓や筋肉に蓄積している糖質をエネルギー源とし、その逆の低い運動強度においては脂質をエネルギー源としている。また、エネルギーは、エネルギー源を酸素によって分解する有酸素性代謝と、酸素を使わない無酸素性代謝とから得られる。
【００１８】
無酸素性代謝で得られるエネルギーは、瞬発力を必要とするような運動に利用されるが、４０秒程度の全力運動でエネルギー源を使い切るほどに少なく、長時間の運動では無視することができる。このため、長時間運動時のエネルギー消費量は、酸素摂取量と概ね比例する。
【００１９】
運動強度とは、運動の強さや身体にかかる負荷を指し示す指標で、最大酸素摂取量を１
００％としてその何％で運動するかを示す。その数値が大きいほどエネルギー消費量が増え、すなわち、身体にかかる負荷が大きくなると言い換えられる。
【００２０】
運動強度は、行う運動やその種別によってその数値が特定されているものではなく、また、同じ運動を行ったとしても個人によってその数値は異なり、その数値を正確に知るには運動中の酸素摂取量を計測する必要がある。
【００２１】
しかし、そのために大掛かりな装置と専門的な知識とが必要で、一般にその数値を知ることは難しい。そこで近年では、酸素摂取量と概ね比例する心臓の心拍数を基に数値化されることが多い。すなわち、身体にかかる負荷を心拍数をもって把握するのである。
【００２２】
心拍数とは、一定期間の間に得られる心拍の数のことであるが、一般には、理解しやすいように１分間の心拍の数として表す場合が多い。
すでに述べたとおり、低い運動強度の運動時は脂質がエネルギー源となり、高い運動強度の運動時には糖質がエネルギー源となる。昨今これらを鑑みて、糖質と脂質とのどちらを利用してエネルギー源とするかが多く議論されており、この考え方を身体の筋力アップやダイエット、生活習慣病の予防などに適用しようという提案も多い。
【００２３】
さらに近年では、運動強度を運動トレーニングに用いることも行われている。例えば、持久力や基礎体力向上には運動強度７０〜８０％程度、生活習慣病予防には運動強度４０〜６０％程度を維持するように運動トレーニングを行うと良いとされる報告もある。
【００２４】
このような事情から、運動トレーニングにおいて、過不足のない運動トレーニングを実現する方法の１つとして、運動強度から算出される心拍数を運動トレーニング指標として用い、運動量を調整する方法が知られている。すなわち、目標運動強度を設定し、これを目標心拍数で管理するのである。
【００２５】
目標運動強度とは、これから運動トレーニングなどを行おうとするときに目標とする運動強度であって、それに相当する心拍数を目標心拍数という。目標心拍数は、次の式より数値化される。
【００２６】
目標心拍数＝（最大心拍数−安静時心拍数）×目標運動強度＋安静時心拍数
また、最大心拍数の計測は難しいが、一般に加齢と共にその値は低下することから、次の式により置き換え可能なことが知られている。
【００２７】
最大心拍数＝２２０−年齢
先にも述べたが、運動強度は、行う運動ごとに正確にその値が特定されているわけではないが、運動の種別と運動強度との間には、おおよそ次のような関係があることが知られている。例えば、短距離を全力疾走する程度の運動のときは運動強度９０％、ジョギングをする程度のときは運動強度６０％、ウォーキングをする程度のときは運動強度４０％などである。
【００２８】
上述の目標心拍数の算出においては、このような運動の種別と運動強度との関係を鑑みて運動強度の数値を入力する場合も多く、例えば、４０歳の人がジョギング程度の運動を想定した場合の目標心拍数は、１００〜１２０程度であると知りえることができる。
【００２９】
心拍数の測定にあっては、指を手首の内側や首に当てて、皮膚が心臓の鼓動に応じて振動する様子をその指で感じることをもって測ることができるが、目標心拍数を自分なりに設定して心拍数を運動トレーニング指標とすることが盛んに行われるようになってくると、運動中やトレーニング直後であっても心拍数を測りたいという要望があり、そのような
状況にあっても簡便に心拍数を測定できる心拍計が求められるようになってきた。このような事情から、近年、多くの電子心拍計の提案がなされている。
【００３０】
このような電子心拍計にあっては、一般に心電位検出方式が広く知られている。例えば、指や胸部に脈波を検出する電極を持ったベルト状の脈波検出部を装着し、これとは独立した表示部に有線または無線で情報を送信し、表示するものである。
【００３１】
表示部は、腕などに装着して脈波検出部が検出した脈波の周期から心拍数を求めて表示する。もちろん、脈波検出部と表示部を一体化したものもある。
脈波検出部には、電極を用いた電極式のほかに血流の変化を光で捕らえる光学式や血圧の変化を圧力で捉える圧力式などもある。
【００３２】
もちろん、使用者情報である年齢や安静時心拍数や最大心拍数や目標運動強度などを簡単に心拍計に設定できる装置も多くの提案を見るものであり、幅を持った目標心拍数を算出したり、計測中の心拍数と使用者情報とを比較して得られる結果を運動トレーニング指標として文字や絵や音で報知したりするものもある（例えば、特許文献３（特開平９−７５４９１号公報）参照。）。
【００３３】
特許文献３に示した従来技術を説明する。図２５は特許文献３に示した従来技術をその主旨を逸脱しない程度に書き直した図である。図２５において、２９９は使用者、３００は装置本体、３０１はケーブル、３０２はセンサユニット、３０３はリストバンド、３０８は液晶表示装置、３１１ａ〜３１１ｇはスイッチである。
【００３４】
装置本体３００は、リストバンド３０３によって使用者２９９の腕に装着されている。この装置本体３００には、センサユニット３０２がケーブル３０１で接続されており、このセンサユニット３０２は、使用者２９９の指に装着されている。
【００３５】
このセンサユニット３０２によって検出される脈波を装置本体３００で信号処理することで心拍数を求め、スイッチ３１１ａ〜３１１ｇから入力される使用者情報を基に演算し、得られた運動トレーニング指標や心拍数などの報知情報を報知する。報知は、液晶表示装置３０８による表示や図示しない発音手段によるアラーム音などにより行われる。
【００３６】
このように、特許文献３に示した従来技術は、運動トレーニング指標を文字や音で報知することができる。心拍を計測できる装置本体３００を装着した状態で運動することにより、その運動が運動トレーニング指標となる目標心拍数に在るか否かをリアルタイムに知ることができる。使用者は、これらの報知情報を利用して運動量を調整することができる。
【００３７】
また、使用者が運動に夢中になり過度の運動に陥ったり、体調が平常時から逸脱したりといった所謂オーバートレーニングの防止などにも用いることができる。
【特許文献１】特開平１１−１０３９１２号公報（第４頁、第１図）
【特許文献２】登録実用新案第３０６３３３９号公報（第２頁、第１図）
【特許文献３】特開平９−７５４９１号公報（第３−７頁、第３図）
【発明の開示】
【発明が解決しようとする課題】
【００３８】
特許文献１と特許文献２とに示した従来技術は、電子腕時計のバンドが発光することで視認性などは向上するが、電子腕時計としては、使い勝手が悪いという問題があった。
すなわち、特許文献１と特許文献２とに示した従来技術は、電子腕時計のバンドにＥＬ素子などの発光体を組み込む必要があって、従来知られている電子腕時計のバンドと比較
してバンドの構造が複雑になり、バンド自体の可撓性も悪化することにより、電子腕時計においては非常に重要な腕とのフィット感や装着感が悪化してしまうという問題があった。
【００３９】
さらに、通常必要となるバンドの長さ調節ができないといったメンテナンス上の問題もあった。
また、電子腕時計の製造工程も複雑になるため、製造コストが増加してしまうという問題もあった。
【００４０】
さらにまた、電子腕時計の文字盤などの表示装置だけを発光させる場合に較べてバンド自体の発光面積が大きくなるため、発光体が消費する電力も大きくなり、電子腕時計に搭載する電池など電源手段の消耗によって、電子腕時計の稼働時間が短くなってしまうという問題があった。
【００４１】
この問題は、電源手段の大型化で改善するが、近年の小型軽量化の傾向がある電子腕時計への要求に逆行するため好ましくないばかりか、大型化した電源手段は、電子腕時計のデザインも制限してしまうという新たな問題も生じてしまう。
【００４２】
従って、バンドの発光による視認性やファッション性の向上と電子腕時計としての装着感や十分な稼働時間などとを両立する電子腕時計は、いまだ提案されていないのが実情である。
【００４３】
また、上記のような電子腕時計だけではなく、例えば、腕に装着するタイプの携帯電話などの多機能を併せ持つ装着型電子機器の開発が盛んになっているが、このような電子機器において、例えば、着信音などの音声による報知だけでなく、上記のようにバンド、電子機器本体の発光による報知があれば、確実に使用者に情報を報知することができ、極めて便利である。
【００４４】
本発明の目的は、上記課題を解決しようとするもので、バンドの製造およびメンテナンスが容易で、かつデザインの制約が少なく、また、十分なバンドの発光効果を持ち、さらに、消費電力を少なくすることが可能な装着型電子機器を提供することにある。
【００４５】
近年では、夜間に運動トレーニングを行う場合も増え、暗い所で心拍計を活用することも増えている。しかしながら、特許文献３に示した従来技術は、液晶表示装置３０８にバックライトが用意されているものの、運動中、特に腕が揺れたり、眼球が上下動したりするような運動を行う場合にあっては、その液晶表示装置３０８自体が小さいために、運動トレーニング指標などの報知情報を瞬時に把握することができないという問題があった。
【００４６】
特に、液晶表示装置３０８が手の甲側にあるために腕をひねって見る必要もあり、例えば、ランニング中においては不自然なフォームを強いられることによりランニングフォームが乱れたりすることで、正常な運動トレーニングを妨げていた。
【００４７】
また、野外での使用においては、音による報知も公道を走る自動車などの騒音により聞き漏らす場合が少なくなかった。
すなわち、特許文献３に示す従来技術は、運動トレーニングに関わる報知情報が使用者に充分報知しきれないという問題があり、運動中に使用するという前提から、このような問題は大きな問題となっていた。
【００４８】
本発明のもう１つの目的は、上記課題を解決しようとするもので、激しい運動中であっても、騒音がある環境下であっても、自然な運動フォームを維持したままにトレーニング
指標を容易に認識することが可能な生体測定装置を提供することにある。
【課題を解決するための手段】
【００４９】
本発明は、前述したような従来技術における課題及び目的を達成するために発明されたものであって、本発明の装着型電子機器は、
装着型電子機器を発光させる発光手段を備える装着型電子機器であって、
前記発光手段が、所定の波長の光を発する発光素子と、該発光素子が発する光を所定の方向に導光する導光手段とを備え、
前記発光素子が、装着型電子機器の本体に備えられるとともに、装着型電子機器の制御に基づいて発光が制御されるように構成され、
前記導光手段が、装着型電子機器の本体に備えられた本体側導光手段、バンドに備えられたバンド側導光手段のうち少なくとも１つの導光手段を備え、
前記本体側導光手段が、装着型電子機器の本体の表面に所定の面を向けて配置されるとともに、
前記発光素子からの光が、本体側導光手段を介して、装着型電子機器の本体の表面から放出されるように構成されているか、または、
前記バンド側導光手段が、バンドの表面に所定の面を向けて配置されるとともに、
前記発光素子からの光が、バンド側導光手段を介して、バンド表面から放出されるように構成されていることを特徴とする。
【００５０】
また、本発明の装着型電子機器は、前記導光手段が、装着型電子機器の本体に備えられた本体側導光手段と、バンドに備えられたバンド側導光手段とを備え、
前記発光素子から発せられた光が、本体側導光手段を介して、バンド側導光手段に導光されて、バンド側導光手段を介して、バンドの表面から放出されるように構成されていることを特徴とする。
【００５１】
また、本発明の装着型電子機器は、前記導光手段が、装着型電子機器の本体に備えられた本体側導光手段と、バンドに備えられたバンド側導光手段とを備え、
前記発光素子からの光が、本体側導光手段を介して、装着型電子機器の本体の表面から放出されるように構成されているとともに、
前記発光素子から発せられた光が、本体側導光手段を介して、バンド側導光手段に導光されて、バンド側導光手段を介して、バンドの表面から放出されるように構成されていることを特徴とする。
【００５２】
このように構成することによって、装着型電子機器の本体に備えられた発光素子が発する光が、導光手段に導かれ、本体側導光手段を介して、装着型電子機器の本体の表面から放出されるか、または、バンド側導光手段を介して、バンド表面から放出されるか、あるいは、これらの装着型電子機器の本体の表面、バンド表面の両方から放出されるようになっている。
【００５３】
従って、装着型電子機器の本体の一部またはバンドを発光させることができる。これにより、本発明の装着型電子機器は、バンドの発光に際して、バンド自体に発光する手段を搭載していなくても、あたかもバンド自体が発光するように見えるものである。
【００５４】
また、導光手段の形状などにより、バンドを所定の状態に発光させることができるか
ら、バンドの発光面積を大きくしても、装着型電子機器としての消費電力が増加することはないものである。
【００５５】
また、このような構成とすることにより、バンドの構造を複雑にすることなくバンドの発光による視認性やファッション性の向上と電子腕時計としての装着感や十分な稼働時間
などとを両立する、例えば、電子腕時計などの装着型電子機器を構成することができる。
【００５６】
従って、例えば、腕に装着するタイプの携帯電話などの多機能を併せ持つ装着型電子機器の開発が盛んになっているが、このような電子機器において、例えば、着信音などの音声による報知だけでなく、上記のようにバンド、電子機器本体またはバンドの発光による報知が可能であるので、確実に使用者に情報を報知することができ、極めて便利である。
【００５７】
また、本発明の装着型電子機器は、前記バンド側導光手段が、バンドの表面または内部に備えられていることを特徴とする。
このようにバンド側導光手段が、バンドの表面または内部に備えられていることによって、装着型電子機器の本体に備えられた発光素子が発する光が、バンドの表面または内部を介して導光されて、バンドの表面から確実に放出されるとともに、バンドの構造を複雑にすることなく、バンドの発光による視認性やファッション性の向上を図ることができる。
【００５８】
また、本発明の装着型電子機器は、前記発光素子が、装着型電子機器の本体に複数個設けられ、それぞれの発光素子に対応して、複数個のバンド側導光手段がバンドに備えられていることを特徴とする。
【００５９】
このように発光素子が、装着型電子機器の本体に複数個設けられ、それぞれの発光素子に対応して、複数個のバンド側導光手段がバンドに備えられていることによって、発光素子が発する光をより多くバンドに伝達し、バンドをより鮮明に発光させることができる。また、発光箇所を自由に選択できることから、発光箇所やその模様を自由に演出することができる。
【００６０】
また、本発明の装着型電子機器は、前記バンド側導光手段が、装着型電子機器の本体から離間するにつれて漸次その幅が小さくなるように形成されていることを特徴とする。
このように構成することによって、本発明の装着型電子機器を腕に装着した際、バンドの６時方向が使用者側となるから、バンド側導光手段の幅を使用者の目につく部分を広くすることで、発光素子の発光輝度が同一であっても見かけ上明るく感じるようになるのである。従って、発光素子に印加する駆動電力を低減しても、使用者が感じるバンドの発光状態は、さほど暗くならないので、発光素子の駆動に伴う消費電力を低減することができる。
【００６１】
また、本発明の装着型電子機器は、前記バンドの表面に遮光性の指標部が形成されていることを特徴とする。
このように構成することによって、バンドの表面に形成した遮光性の指標部を、例えば、文字、記号、図形などの形状とすることによって、バンド側導光手段に光が入射すると、バンド表面の遮光性の指標部の周囲は発光するが、遮光性の指標部の下からの光は遮光されるので、遮光性の指標部の形状が際立ち、バンドを所定の形状や模様にワンポイントで発光させることができ、高い装飾効果を得ることができる。
【００６２】
また、本発明の装着型電子機器は、前記バンドの表面が、遮光性であって、バンドの表面に指標開口部が形成されていることを特徴とする。
このようにバンドの表面が、遮光性であって、バンドの表面に指標開口部を形成することによって、この指標開口部から、バンド側導光手段の発光を視認できるようになっている。
【００６３】
従って、指標開口部を、例えば、文字、記号、図形などの形状とすることによって、バンド側導光手段に光が入射すると、バンド表面の指標開口部は発光するが、その周囲の遮
光性の指標部の下からの光は遮光されるので、バンド表面の指標開口部の形状が際立ち、バンドを所定の形状や模様にワンポイントで発光させることができ、高い装飾効果を得ることができる。
【００６４】
また、本発明の装着型電子機器は、前記本体側導光手段側の表面に、遮光性の指標部が形成されていることを特徴とする。
このように構成することによって、本体側導光手段側の表面に形成した遮光性の指標部を、例えば、文字、記号、図形などの形状とすることによって、本体側導光手段に光が入射すると、本体側導光手段の表面の遮光性の指標部の周囲は発光するが、遮光性の指標部の下からの光は遮光されるので、遮光性の指標部の形状が際立ち、本体側導光手段の表面を所定の形状や模様にワンポイントで発光させることができ、高い装飾効果を得ることができる。
【００６５】
また、本発明の装着型電子機器は、前記本体側導光手段側の表面が、遮光性であって、本体側導光手段側の表面に指標開口部が形成されていることを特徴とする。
このように本体側導光手段側の表面が、遮光性であって、本体側導光手段側の表面に指標開口部を形成することによって、この指標開口部から、本体側導光手段の発光を視認できるようになっている。
【００６６】
従って、指標開口部を、例えば、文字、記号、図形などの形状とすることによって、本体側導光手段に光が入射すると、本体側導光手段の表面の指標開口部は発光するが、その周囲の遮光性の指標部の下からの光は遮光されるので、本体側導光手段の表面の指標開口部の形状が際立ち、バンドを所定の形状や模様にワンポイントで発光させることができ、高い装飾効果を得ることができる。
【００６７】
また、本発明の装着型電子機器は、前記導光手段の発光側表面に、前記発光素子からの光のうち、所定の波長の光のみを透過させるフィルターが配置されていることを特徴とする。
【００６８】
このように構成することによって、フィルターを介して、発光素子からの光のうち、所定の波長の光のみを透過させることができるので、使用者に所定の波長の光による情報の報知ができ、フィルターの形状、種類、配置位置を変更することによって、発光色、発光箇所を自由に選択できるので、発光箇所やその模様を自由に演出することができ、発光による視認性やファッション性の向上を図ることができる。
【００６９】
また、本発明の装着型電子機器は、前記フィルターの表面に、前記発光素子からの光のうち、フィルターを透過した所定の波長の光により発光する指標部が形成されていることを特徴とする。
【００７０】
このようにフィルターの表面に、前記発光素子からの光のうち、フィルターを透過した所定の波長の光により発光する指標部が形成されていれば、この指標部の形状、種類、配置位置を変更することによって、発光色、発光箇所を自由に選択できるので、発光箇所やその模様を自由に演出することができ、発光による視認性やファッション性の向上を図ることができる。
【００７１】
また、本発明の装着型電子機器は、前記発光素子が、ＬＥＤ発光素子、紫外線発光素子、電子線発光素子から選択した少なくとも１つの発光素子から構成されていることを特徴とする。
【００７２】
このように発光素子を選択することによって、種々の所定の波長の光により、装着型電
子機器の本体の一部またはバンドを発光させることができ、発光による視認性やファッション性の向上を図ることができる。
【００７３】
すなわち、例えば、発光素子が、ＬＥＤ発光素子の場合に、ＬＥＤ発光素子を、赤色（Ｒ）ＬＥＤ発光素子、緑色（Ｇ）ＬＥＤ発光素子、青色（Ｂ）ＬＥＤ発光素子の３色のＬＥＤから構成し、フィルターＲ，Ｇ，ＢをこれらのＬＥＤから発せられたＲ，Ｇ，Ｂのそれぞれの光のみを透過するフィルターとすれば、Ｒ，Ｇ，Ｂの発光箇所、形状などを選択することができ、発光による視認性やファッション性の向上を図ることができる。
【００７４】
また、発光素子が、紫外線発光素子（ＵＶ−ＬＥＤ）、電子線発光素子である場合には、バンドパスフィルタを配置することによって、ＵＶ−ＬＥＤ、電子線発光素子から発せられた紫外線の波長、電子線の波長を選択して透過させ、紫外線、電子線により所定の色に発光する蛍光体を配置しておけば、発光箇所、形状などを選択することができ、発光による視認性やファッション性の向上を図ることができる。
【００７５】
また、本発明の装着型電子機器は、前記バンド側導光手段が、光ファイバーから構成されていることを特徴とする。
このように構成することによって、装着型電子機器の本体に備えられた発光素子が発する光が、光ファイバーを介して確実に導光されて、バンドの表面から確実に放出されるとともに、バンドの構造を複雑にすることなく、バンドの発光による視認性やファッション性の向上を図ることができる。
【００７６】
また、本発明の装着型電子機器は、前記バンド側導光手段が、両面に回折格子を備えた導光部材から構成されていることを特徴とする。
このように構成することによって、装着型電子機器の本体に備えられた発光素子が発する光が、両面に回折格子を備えた導光部材によって、確実に導光されて、回折格子のスリットの隙間で回折されてバンド表面から確実に放出されるとともに、バンドの構造を複雑にすることなく、バンドの発光による視認性やファッション性の向上を図ることができる。
【００７７】
また、本発明の装着型電子機器は、前記発光素子とバンド側導光手段との間に、液晶素子が配置され、
前記バンド側導光手段の表面に、相互に直交する偏向角を有する複数の指標偏向部材が設けられ、
前記液晶素子に印加する電圧を変化させることにより、複数の指標偏向部材を選択して散光させるように構成されていることを特徴とする。
【００７８】
このように構成することによって、装着型電子機器の本体に備えられた発光素子が発する光が、液晶素子を通過して、バンド側導光手段に導かれる。
そして、液晶素子に印加する電圧を変化させることにより、液晶素子を通過した光は所定の偏向角度を有しているので、この偏向角度に応じた偏向角を有する指標偏向部材から、バンド表面から光を放出させることができる。
【００７９】
従って、液晶素子に印加する電圧を変化させるだけで、発光箇所、形状などを選択することができ、発光による視認性やファッション性の向上を図ることができ、バンドの構造を複雑にすることなく、バンドの発光による視認性やファッション性の向上を図ることができる。
【００８０】
また、本発明の装着型電子機器は、前記導光手段が、蓄光手段を備え、導光手段が導光する光を蓄光するように構成されていることを特徴とする。
また、本発明の装着型電子機器は、前記蓄光手段が、導光手段に隣接して備えられていることを特徴とする。
【００８１】
また、本発明の装着型電子機器は、前記蓄光手段を備えた導光手段が、バンド側導光手段であることを特徴とする。
このように蓄光手段による光の吸収、発光を利用して、制御手段によって発光素子を所定の時間間隔で間欠駆動すると、発光素子が発光していない期間も蓄光手段が発光を継続するので、装着型電子機器の本体またはバンドの発光を維持することができる。
【００８２】
従って、非常に少ない消費電力で、装着型電子機器の本体またはバンドを長時間に渡って連続的に発光させることが可能となる。
また、前述のいずれか１つに記載の装着型電子機器を用いた使用者の生体情報を測定する生体測定装置であって、
前記発光素子からの光が、装着型電子機器の本体に備えられた本体側導光手段、バンドに備えられたバンド側導光手段のうち少なくとも１つの導光手段を介して、
装着型電子機器の本体の表面、バンドの表面からの少なくとも１つの表面から放出されることによって、生体情報を報知するように構成されていることを特徴とする。
【００８３】
このように構成することによって、装着型電子機器の本体に備えられた発光素子が発する光が、導光手段に導かれ、本体側導光手段を介して、装着型電子機器の本体の表面から放出されるか、または、バンド側導光手段を介して、バンド表面から放出されるか、あるいは、これらの装着型電子機器の本体の表面、バンド表面の両方から放出されることになり、例えば、心拍数、体温などの生体情報を確実に報知することができる。
【００８４】
また、本発明の生体測定装置は、前記生体測定装置が、前記使用者の生体情報を検出し、該生体情報から所定の生体情報値を算出する生体情報値算出手段と、
前記使用者の使用者情報を入力する使用者情報入力手段と、
前記使用者情報と生体情報値とを比較する比較演算手段と、
前記比較演算手段の比較結果に応じて支援情報を報知する報知手段とを備え、
前記報知手段が、発光素子からの光が、装着型電子機器の本体に備えられた本体側導光手段、バンドに備えられたバンド側導光手段のうち少なくとも１つの導光手段を介して、
装着型電子機器の本体の表面、バンドの表面からの少なくとも１つの表面から放出されることによって、支援情報を報知する第１の報知手段を備えることを特徴とする。
【００８５】
このように構成することによって、生体情報値算出手段によって、使用者の生体情報を検出して、生体情報値を求めるとともに、使用者情報入力手段を介して、使用者があらかじめ入力した使用者情報と生体情報値とを比較演算手段によって比較し、この比較演算手段の比較結果に応じて報知手段により、支援情報を報知するようになっている。
【００８６】
そして、報知手段が、装着型電子機器の本体に備えられた発光素子が発する光が、導光手段に導かれ、本体側導光手段を介して、装着型電子機器の本体の表面から放出されるか、または、バンド側導光手段を介して、バンド表面から放出されるか、あるいは、これらの装着型電子機器の本体の表面、バンド表面の両方から放出されることになり、例えば、目標心拍数や任意の心拍数との関係を示すトレーニング指標や心拍情報などの支援情報を確実に報知することができる。
【００８７】
また、本発明の生体測定装置は、前記報知手段が、文字または絵文字を用いて支援情報を報知する第２の報知手段をさらに備えることを特徴とする。
このように構成することによって、報知手段は、発光による第１の報知手段と、文字や絵文字による第２の報知手段とから構成されるので、第１の報知手段によって、発光を行
うことでいち早く使用者に報知情報があることを伝えることができるとともに、この第２の報知手段によって、使用者に対して詳細に報知情報を報知することができる。
【００８８】
また、発光は、発光箇所，発光条件，発光パターンのいずれかまたはその組み合わせで行うことができるため、視認性と表現の多様性が向上する。
このように、第１の報知手段と第２の報知手段との報知の役割を変えることで、使用者に適切に報知情報を伝達することができる。
【００８９】
また、本発明の生体測定装置は、前記生体測定装置が、運動トレーニングを行う使用者へ助言を与える機能を有する身体装着型運動トレーニング支援装置であって、
前記生体情報値算出手段が、使用者の生体情報を検出し、該生体情報から心拍数を算出する心拍数算出手段を備え、
前記比較演算手段が、使用者情報と心拍数とを比較する心拍数比較演算手段を備え、
前記報知手段が、心拍数比較演算手段の比較結果に応じて支援情報を報知する心拍数報知手段を備えることを特徴とする。
【００９０】
このように構成することによって、使用者の生体情報である脈波を検出して、心拍数を求めると共に、使用者があらかじめ入力した使用者情報である目標運動強度から算出される目標心拍数や任意の心拍数との関係を示すトレーニング指標や心拍情報を報知するようにしたもので、身体装着型の限られたスペースを変えずして、報知する手段を増やし、本体や係止バンドの構造を複雑にすることなく報知することができる。
【００９１】
また、本発明の生体測定装置は、前記報知手段が、前記第２の報知手段より先に、第１の報知手段が支援情報を報知するように構成されていることを特徴とする。
このように構成することによって、発光による第１の報知手段によって、発光を行うことでいち早く使用者に報知情報があることを伝えることができる。
【００９２】
また、本発明の生体測定装置は、前記生体測定装置が、脈波を測定するため脈波測定装置、体温を測定するための体温測定装置、発汗度を測定するための発汗測定装置のうちの少なくとも１つ、またはそれらの組み合わせの測定装置であることを特徴とする。
【００９３】
このように構成することによって、脈波の測定、体温の測定、発汗度の測定に対応することができ、極めて便利である。
【発明の効果】
【００９４】
本発明の装着型電子機器によれば、装着型電子機器の本体に備えられた発光素子が発する光が、導光手段に導かれ、本体側導光手段を介して、装着型電子機器の本体の表面から放出されるか、または、バンド側導光手段を介して、バンド表面から放出されるか、あるいは、これらの装着型電子機器の本体の表面、バンド表面の両方から放出されるようになっている。
【００９５】
従って、装着型電子機器の本体の一部またはバンドを発光させることができる。これにより、本発明の装着型電子機器は、バンドの発光に際して、バンド自体に発光する手段を搭載していなくても、あたかもバンド自体が発光するように見えるものである。
【００９６】
また、導光手段の形状などにより、バンドを所定の状態に発光させることができるか
ら、バンドの発光面積を大きくしても、装着型電子機器としての消費電力が増加することはないものである。
【００９７】
また、このような構成とすることにより、バンドの構造を複雑にすることなくバンドの
発光による視認性やファッション性の向上と電子腕時計としての装着感や十分な稼働時間などとを両立する、例えば、電子腕時計などの装着型電子機器を構成することができる。
【００９８】
従って、例えば、腕に装着するタイプの携帯電話などの多機能を併せ持つ装着型電子機器の開発が盛んになっているが、このような電子機器において、例えば、着信音などの音声による報知だけでなく、上記のようにバンド、電子機器本体またはバンドの発光による報知が可能であるので、確実に使用者に情報を報知することができ、極めて便利である。
【００９９】
また、本発明の装着型電子機器を用いた生体測定装置によれば、装着型電子機器の本体に備えられた発光素子が発する光が、導光手段に導かれ、本体側導光手段を介して、装着型電子機器の本体の表面から放出されるか、または、バンド側導光手段を介して、バンド表面から放出されるか、あるいは、これらの装着型電子機器の本体の表面、バンド表面の両方から放出されることになり、例えば、心拍数、体温などの生体情報を確実に報知することができる。
【０１００】
また、本発明の装着型電子機器を用いた生体測定装置によれば、生体情報値算出手段によって、使用者の生体情報を検出して、生体情報値を求めるとともに、使用者情報入力手段を介して、使用者があらかじめ入力した使用者情報と生体情報値とを比較演算手段によって比較し、この比較演算手段の比較結果に応じて報知手段により、支援情報を報知するようになっている。
【０１０１】
そして、報知手段が、装着型電子機器の本体に備えられた発光素子が発する光が、導光手段に導かれ、本体側導光手段を介して、装着型電子機器の本体の表面から放出されるか、または、バンド側導光手段を介して、バンド表面から放出されるか、あるいは、これらの装着型電子機器の本体の表面、バンド表面の両方から放出されることになり、例えば、目標心拍数や任意の心拍数との関係を示すトレーニング指標や心拍情報をなどの支援情報を確実に報知することができる。
【０１０２】
また、報知手段は、発光による第１の報知手段と、文字や絵文字による第２の報知手段とから構成されるので、第１の報知手段によって、発光を行うことでいち早く使用者に報知情報があることを伝えることができるとともに、この第２の報知手段によって、使用者に対して詳細に報知情報を報知することができる。
【０１０３】
また、発光は、発光個所，発光条件，発光パターンのいずれかまたはその組み合わせで行うことができるため、視認性と表現の多様性が向上する。
このように、第１の報知手段と第２の報知手段との報知の役割を変えることで、使用者に適切に報知情報を伝達することができる。
【０１０４】
本発明の装着型電子機器を用いた生体測定装置は、第１の報知手段と第２の報知手段とを有している。計測した生体情報から支援情報を算出し、これら２つの報知手段を用いて支援情報を報知する。
【０１０５】
第１の報知手段は、光による報知を行うものである。発光部位は、装置本体または係止バンドであって、係止バンドにその部位を設ける場合は、そのバンド内において自由に形状や大きさを決めることができるから、装置本体のサイズによる制限を受けずによりその面積を広くすることができる。このため、使用者は運動中であっても支援情報をすぐさま知りえることができる。
【０１０６】
報知手段が報知するのは、支援情報の全てではなくその一部を報知してもよい。例えば、計測した心拍数のみの情報などである。また、装置情報も報知することができる。装置
情報とは、本発明の装着型電子機器を用いた生体測定装置のインフォメーションであって、例えば、電池の残量の情報などである。
【０１０７】
第１の報知手段は、本発明の装着型電子機器を用いた生体測定装置からの支援情報や装置情報がある場合、使用者がいち早くそれに気づくように光を利用して報知するものである。第２の報知手段については、より詳細な情報を文字または絵文字を用いて表示する。
【０１０８】
このように、運動中に利用することを想定している本発明の装着型電子機器を用いた生体測定装置は、この第１の報知手段によって、まず使用者の注意を引き付け、より詳細な情報の報知は、第２の報知手段によって行うことができる。このような２ステップの報知よって支援情報の見落としがなくなるのである。
【発明を実施するための最良の形態】
【０１０９】
以下、本発明の実施の形態（実施例）を図面に基づいてより詳細に説明する。
【実施例１】
【０１１０】
［第１の実施例：図１］
以下、本発明の装着型電子機器として、電子腕時計に適用した場合の最良の形態を図を用いて説明する。
【０１１１】
図１は、本発明の第１の実施例の電子腕時計を説明する図であって、図１（ａ）は電子腕時計の正面図であり、図１（ｂ）は電子腕時計を６時方向から見た側面図である。
これらの図において、１は本体ケース、２は表示装置、３はスイッチ手段、４はバンド、５は開口部、６は発光素子、７は導光手段である。図１においては、発光素子６から出射した光は矢印で示している。
【０１１２】
発光素子６を本体ケース１の内部に配置し、導光手段７をバンド４に配置することにより、発光素子６が発した光が、本体ケース１の６時方向に設ける開口部５を通り、バンド４に設置された導光手段７に入射する。導光手段７は、所定の方向に発光素子６の光を導くことができる。
【０１１３】
所定の方向とは、光を発したい方向であって、例えば、本体ケース１の表面方向やバンド４の表面方向である。導光手段７は、その方向に所定の面が向くように配置されている。この所定の面とは、導光手段７の一平面や端面であって、光を発する面である。
【０１１４】
このようにすることで、入射した光をその所定の面方向に導き使用者から視認可能となるのであるが、バンド４自体に発光素子を設けなくても、使用者からはあたかもバンド４が発光しているように見えるのである。
【０１１５】
開口部５は、バンド４の端面と本体ケース１とが嵌合する際に、本体ケース１に設ける発光素子６とバンド４に設ける導光手段７とが遮蔽物なく対向するように本体ケース１に開口したものである。このようにすることで、発光素子６からの光が本体ケース１に遮蔽されることなく導光手段７に到達し、導光手段７は所定の方向に光を発することができる。
【０１１６】
バンド４と本体ケース１との接続は、知られている時計のバンド留め構造をもって行うことができるから、その説明は省略する。
表示装置２は、針による時刻の報知を行う、所謂アナログ表示式の文字盤を例にして説明しているが、もちろんそれに限定するものではなく、数字や絵文字を用いて時刻を報知する、所謂デジタル表示式のものでもよい。
【０１１７】
本体ケース１またはバンド４には、知られている金属素材や樹脂素材などを用いることができる。図１に示した実施例では、可撓性のある樹脂素材または皮革素材でバンドを構成する例を示しているが、もちろんこれに限定されない。知られている複数のコマを回動部で連結した形状のバンドや、ブレスレット形状であってもかまわない。複数のコマを用いるバンドの構成については後述する。
【０１１８】
発光素子６は、特に限定しないが、ＬＥＤ（Ｌｉｇｈｔ  Ｅｍｉｔｔｉｎｇ  Ｄｉｏｄｅ：発光ダイオード）を用いることができる。ＥＬ（Ｅｌｅｃｔｒｏ  Ｌｕｍｉｎｅｓｃｅｎｃｅ）素子や電球なども用いることができるが、発光するために必要な電力がより少なくて済むものが好ましい。
【０１１９】
本発明の実施例では、発光色は特に限定しないが、発光させたときの視認性やファッション性（表現）を鑑みるならば、発光色は、多色が好ましい。例えば、ＬＥＤに印加する駆動電流を制御することにより白，青，緑，黄，橙，赤等を発色できるカラーＬＥＤや、これらを複数組み合わせてもかまわない。
【０１２０】
また、この場合、例えば、発光素子が、ＬＥＤ発光素子の場合に、ＬＥＤ発光素子を、赤色（Ｒ）ＬＥＤ発光素子、緑色（Ｇ）ＬＥＤ発光素子、青色（Ｂ）ＬＥＤ発光素子の３色のＬＥＤから構成し、フィルターＲ，Ｇ，ＢをこれらのＬＥＤから発せられたＲ，Ｇ，Ｂのそれぞれの光のみを透過するフィルターとすれば、Ｒ，Ｇ，Ｂの発光箇所、形状などを選択することができ、発光による視認性やファッション性の向上を図ることができる。
【０１２１】
もちろん、発光は可視光に限定するものではなく、紫外線等も使用できる。例えば、３６５ｎｍの波長を有する紫外線である。この場合、後述する導光手段７の中にビタミンＢ２（リボフラビン）を含有する水溶液または素材を封止することで、紫外線域の非可視光束を照射すると、導光手段７を緑黄色に蛍光発光させることができる。
【０１２２】
すなわち、後述するように、発光素子が、紫外線発光素子（ＵＶ−ＬＥＤ）、電子線発光素子とすることもでき、この場合には、バンドパスフィルタを配置することによって、ＵＶ−ＬＥＤ、電子線発光素子から発せられた紫外線の波長、電子線の波長を選択して透過させ、紫外線、電子線により所定の色に発光する蛍光体を配置しておけば、発光箇所、形状などを選択することができ、発光による視認性やファッション性の向上を図ることができる。
【０１２３】
導光手段７は、空気と構成する材質との間の屈折率差による反射を利用して、光を所定の方向へ導くものであって、知られている部材を用いることができる。特に限定しないが、導光手段７は、アクリル樹脂で構成する透明板で構成することができ、所定の面に光をむらなく散光させるための微細な模様が印刷またはパターニングされている。
【０１２４】
もちろん、知られている液晶表示装置のバックライト等に採用されている導光板を用いることができる。また、光ファイバを用いてもかまわない。
また、導光手段７の表面の一部または全体に、知られている光散乱部材を貼り付けてもかまわない。さらにまた、ハーフミラー処理層や反射部材、着色層やめっき処理層を形成してもかまわない。
【０１２５】
重要なことは、発光素子６からの光を所定の方向に導光することである。導光手段７の発光明度を均一化したり、非発光時の装飾性を向上させることは、視認性やファッション性の向上を鑑みてより好ましいものである。
【０１２６】
さらにバンド４には導光手段７に隣接して知られている蓄光部材を設置することができる。蓄光部材による光の吸収，発光を利用して、後述するＣＰＵ２１などの電子腕時計の制御手段によって発光素子６を所定の時間間隔で間欠駆動すると、発光素子６が発光していない期間も蓄光部材が発光を継続するので、バンド４の発光を維持することができる。そのため、非常に少ない消費電力でバンド４を長時間に渡って連続的に発光させることが可能となる。
【０１２７】
スイッチ手段３は、図示しない電子腕時計の制御手段と電気的に接続されており、使用者が操作することによって、発光素子６の発光を制御する。例えば、連続点灯，点滅，間欠点灯，消灯，発光色の変更などである。
【０１２８】
また、発光素子６を図示しないセンシング手段からの信号入力をトリガとして発光するようにして、スイッチ手段３によってセンシング手段を有効化したり無効化したりしてもよい。
【０１２９】
センシング手段としては、例えば、振動を検知して信号を出力する振動センサ、傾斜を検知して信号を出力する傾斜センサ、加速度を検知して信号を出力する加速度センサ、温度センサや気圧センサ、通信手段を有する情報装置において電波の受信を検知して信号を出力するセンサなどである。
［第２の実施例：図２］
図２は、本発明の第２の実施例の電子腕時計を説明する正面図であり、電子腕時計の６時方向と１２時方向との両方にそれぞれ発光素子６ａ，６ｂと導光手段７ａ，７ｂとを設置するものである。発光素子６ａ，６ｂは、それぞれが配置される側のバンド４の方向に光を発し、導光手段７ａ，７ｂがそれを受光する。各導光手段は、受光した光を導いて使用者が発光を視認できるようにする。
【０１３０】
また、発光素子６ａ，６ｂを同時または交互に点滅させたり、それぞれ異なる色で発
光させたりしてもよいのはもちろんである。
このような構成とすることによって、バンド４の発光範囲をより大きくすることができるため、使用者のみならず周囲からの視認性も一層向上する。
［第３の実施例：図３］
図３は、本発明の第３の実施例の電子腕時計を説明する正面図であり、電子腕時計の６時方向に発光素子６ａ，６ｂと導光手段７ａ，７ｂとを設置するものである。
【０１３１】
これら２つの導光手段７ａ，７ｂの間には、遮光性部材８が設けてある。この遮光性部材８により、発光や導光が互いに干渉しないようになっている。
このような構成とすることによって、個々の発光素子が、それぞれバンド４上の所定位置に独立して設置された導光手段を発光させるので、例えば、発光素子の発光を報知手段として用いる場合に、導光手段７ａ，７ｂの発光状態により報知する情報を変更したり、導光手段７ａ，７ｂの組み合わせによって報知する情報に所定の意味を持たせることもできる。
【０１３２】
例えば、導光手段７ａを赤色，導光手段７ｂを青色に発光させるようにすることができる。また、一方の導光手段、例えば、導光手段７ｂのみ毎正時に点滅させてもよい。このように、それぞれ異なる色で発光させたりすることで、より一層の視認性と表現の多様性、を有する情報の報知が可能となるとともに、装飾効果を得られる。
【０１３３】
図３に示した実施例では、上述の構成を本体ケース１の６時方向に設ける場合を説明したが、もちろん、本体ケース１の１２時方向に設けてもよいし、１２時方向と６時方向との両方に設けてもよい。
［第４の実施例：図４］
図４（ａ）（ｂ）は、本発明の第４の実施例の電子腕時計を説明する正面図であり、電子腕時計の６時方向に発光素子６と導光手段７とを設置するものであるが、導光手段７の形状が第１の実施例とは異なる例を示すものである。バンド４の短手方向を導光手段７の幅とすると、この幅が本体ケース１から遠ざかるにつれ漸次細くなるようになっている。
【０１３４】
本発明の装着型電子機器である電子腕時計を腕に装着した際、バンド４の６時方向が使用者側となるから、導光手段７の幅を使用者の目につく部分を広くすることで、発光素子６の発光輝度が同一であっても見かけ上明るく感じるようになるのである。
【０１３５】
従って、発光素子６に印加する駆動電力を低減しても、使用者が感じるバンド４の発光状態は、さほど暗くならないのであるから、発光素子６の駆動に伴う消費電力を低減することができる。
【０１３６】
図４（ｂ）に示した実施例では、発光素子６を２つ設ける例を示したが、これに限定するものではない。発光素子６を構成するＬＥＤの発光輝度や消費電力などを鑑みて自由に選択することができる。また、２つの発光素子を交互に点滅させたり、それぞれ異なる色で発光させたりしてもよいのはもちろんである。
【０１３７】
図４に示した実施例では、導光手段７は本体ケース１の６時方向に設ける場合を説明したが、もちろん、このような形状の導光手段７を本体ケース１の１２時方向に設けてもよい。そのような構成とすれば、使用者のみならず、１２時方向のバンド４が発光するので、第三者にも発光状態が視認し易くなるので、第三者に対しても視認性と表現の多様性が向上する。例えば、夜間外出時に発光しておけば、他の交通機関の運転者からの視認性も向上し、交通事故などの不測の事態を回避することができる。もちろん、１２時方向と６時方向との両方に設けてもよい。
［第５の実施例：図５］
図５は、本発明の第５の実施例の電子腕時計を説明する正面図である。
【０１３８】
図５に示したように、本発明の電子腕時計の６時方向に発光素子６ａ，６ｂ，６ｃと、それぞれに対応する導光手段７と開口部７０ａ，７０ｂ，７０ｃとを設置するものである。
【０１３９】
図５は、本発明の装着型電子機器である電子腕時計の６時方向に発光素子６ａ，６ｂ，６ｃと開口部７０ａ，７０ｂ，７０ｃとをそれぞれの導光手段７の表面の一部に配置するものであり、この開口部７０ａ，７０ｂ，７０ｃから、それぞれの導光手段７の発光を視認できるようになっている。それぞれの導光手段７は、図示しない遮光性部材によって仕切られており、発光や導光が互いに干渉しないようになっている。
【０１４０】
開口部７０ａ，７０ｂ，７０ｃは、文字，記号，図形などの形状にすることができる。このようにすることで、発光をより際立たせることができる。
また、発光素子６ａ，６ｂ，６ｃにそれぞれ対応して個別に発光を制御するようにしてもよい。例えば、本発明の装着型電子機器を電子腕時計型の生体測定装置とし、ある計測した生体情報からトレーニング状態を報知するとき、目標に対してオーバートレーニング状態であれば発光素子６ａを、アンダートレーニング状態であれば発光素子６ｃを、目標のトレーニング状態であれば発光素子６ｂをそれぞれ所定の時間、点滅させるのである。もちろん、発光色を変えることで更に注意を促すようにしてもよい。
【０１４１】
このような構成とすれば、より一層の視認性と表現の多様性が得られる情報の報知が可能となる。さらに、開口部７０ａ，７０ｂ，７０ｃを透明樹脂や半透明樹脂などで封止さ
せてもよい。これにより、非発光時の質感や装飾性を向上させることもできる。
【０１４２】
図５に示した実施例では、上述の構成を本体ケース１の６時方向に設ける場合を説明したが、もちろん、本体ケース１の１２時方向に設けても、１２時方向と６時方向との両方に設けてもよい。
［第６の実施例：図６］
図６は、本発明の第６の実施例の電子腕時計を説明する図であって、図６（ａ）は、電子腕時計を３時方向側面から見た内部の状態を模式的に示す側面図であり、図６（ｂ）は、電子腕時計を６時方向のバンド４から見た側面図である。
【０１４３】
図６に示す実施例においては、１つの発光素子に対して２つの導光手段を用いる場合を示すものである。７１は第１の導光手段、７２は第２の導光手段、Ｘは仮想直線である。
図６（ａ）に示したように、本体ケース１内部の６時方向端部付近には、反射部材で構成する第１の導光手段７１が設置されており、発光素子６が発した光をバンド４上に設置された第２の導光手段７２に導く。
【０１４４】
また、第１の導光手段７１は、図示しない表示装置２に平行な仮想直線Ｘに対して所定の角度θを持ち、発光素子６が発した光を散乱や拡散等を行わずに本体ケース１の６時方向のバンド４の表面方向に反射させる。
【０１４５】
第２の導光手段７２は、反射部材で構成され、入射したこの光を散乱や拡散等を行わずに所定の方向、例えばバンド４の表面方向へ反射させる。図６（ａ）においては、発光素子６から出射した光は矢印で示している。
【０１４６】
図６（ａ）において、この矢印は、第１の導光手段７１から第２の導光手段７２への導光を本体ケース１の外側を通る実施例を示しているが、もちろんこれに限定されない。
第１の導光手段７１で導光された光は、バンド４の内部を通り第２の導光手段７２に到達するようにしてもかまわない。
【０１４７】
その場合は、第２の導光手段７２は、反射部材ではなく、すでに説明した所定の方向に導光する導光手段とすることで、第２の導光手段７２の所定の面から発光素子６の光を発することができる。
【０１４８】
図６（ｂ）に示したように、第２の導光手段７２は、バンド４上において本体ケース１と離間して設けることができるから、デザイン上の制約を受けずにバンド４を発光させることができる。
【０１４９】
発光素子６は、指向性の高い光を発する発光素子で構成することもできる。この場合、発光素子６が発した光を、拡散や散乱を行わずに、第１の導光手段７１から第２の導光手段７２への導光を介して、使用者の顔面の方向に導けば、周囲を照明せずに使用者のみがバンドの発光を確認できる。
【０１５０】
例えば、映画館や消灯中の航空機の客室内などの周囲を照明してしまうと不都合が生じるような場所においても、周囲を照明せずにバンドの発光を使用者が視認することができる。
【０１５１】
本発明の装着型電子機器である電子腕時計に、先に説明したセンシング手段を搭載し、このセンシング手段からの情報に基づいてバンド４を発光させる場合においては、発光が予期せず発生することがあって、そのような状況であっても、発光素子６が発した光を、拡散や散乱を行わずに、第１の導光手段７１から第２の導光手段７２への導光を介して、
使用者の顔面の方向に導けば、発光を周囲の第三者に知られることなく使用者が認識することができる。
【０１５２】
このように、導光手段を第１の導光手段７１，第２の導光手段７２で構成することによよって、導光手段を本体ケース１に配置される発光素子６の近傍まで延長しなくともバンド４を発光させることが可能となる。
［第７の実施例：図７］
図７は、本発明の第７の実施例の電子腕時計を説明する図であって、図７（ａ）は、電子腕時計の正面図であり、図７（ｂ）は、電子腕時計を３時方向側面から内部を見た状態を模式的に示す側面図である。
【０１５３】
図７において、３２は、第１の導光手段７１の端部に設ける突起部であり、発光素子６から出射した光は矢印で示している。
図７に示した実施例では、発光素子６を本体ケース１の１２時方向に設置している。表示装置２は、例えば、針による時刻の報知を行うアナログ表示式の文字盤であり、透光性部材で構成されている。この表示装置２の裏側に、第１の導光手段７１を設置している。
【０１５４】
第１の導光手段７１は、表示装置２の方向に光を導く構成を有するとともに、６時方向の端部には突起部３２を有している。突起部３２は、第１の導光手段７１に入射した光をバンド４上に設置する第２の導光手段７２に導く導光機能を持つ。
【０１５５】
すなわち、発光素子６から出射した光は、第１の導光手段７１により表示装置２を通して本発明の電子腕時計の正面に導かれ、あたかも表示装置２が発光しているがごとく見えるのである。またその光は、突起部３２により第２の導光手段７２に導かれ、バンド４の表面も発光させるのである。
【０１５６】
このような構成とすることにより、発光素子６が発する光が、バンド４の発光だけでなく、表示装置２の照明効果も有するため、時刻の認識のために必要な表示装置２を照明する手段が不要となり、本発明の電子腕時計をより小型にすることができる。もちろん、表示装置２も発光することから、より一層の装飾効果が得られることはもちろんである。
【０１５７】
また、突起部３２や発光素子６の設置位置は、図７に示す例に限定されるものではない。発光素子６を本体ケース１の３時方向に設け表示装置２の中心方向に光を照射するようにし、突起部３２を６時方向と１２時方向との両方に設け、それぞれの方向のバンド４に設ける第２の導光手段７２に光を導いてもよい。また、この場合、発光素子６を本体ケース１の９時方向、３時方向に設けるなど、発光素子６の位置は特に限定されるものではなく、適宜変更することができる。
【０１５８】
さらに、突起部３２は、第１の導光手段７１と別体で形成してもよい。
さらにまた、図７（ｂ）では、突起部３２の端面と第２の導光手段７２の端面とがわずかに離間して対向している実施例を示したが、この端面同士を接してもかまわない。
［第８の実施例：図８］
図８は、本発明の第８の実施例の電子腕時計を説明する図であって、図８（ａ）は、電子腕時計の正面図であり、図８（ｂ）は、電子腕時計を３時方向側面から見た内部の状態を模式的に示す側面図である。
【０１５９】
図８において、５は本体ケース１に設ける開口部であり、発光素子６から出射した光は矢印で示している。１１は表示装置２を保護する風防ガラスである。
図８に示した実施例では、開口部５を本体ケース１の風防ガラス１１方向とバンド４に設置する第２の導光手段７２の方向との両方に設けている。そして、風防ガラス１１方向
の開口部５は、この開口部５を埋めるように第１の導光手段７１が嵌合し、本体ケース１からは突出しないように設けている。
【０１６０】
従って、第１の導光手段７１は、光を発する方向が風防ガラス１１方向と第２導光手段７２の２方向となる。
発光素子６は、本体ケース１内部に設置しており、光の出射方向は、第１の導光手段７１側である。
【０１６１】
このような構成とすることにより、発光素子６が発した光の一部が、第１の導光手段７１に入射し、第１の導光手段７１を介して、風防ガラス１１方向へと光が導かれて、第１の導光手段７１の開口部５から上方へ放出される。
【０１６２】
また、発光素子６が発した光の一部は、第１の導光手段７１の開口部５からバンド４の第２の導光手段７２の方向へと光が導かれ、バンド４の表面から放出される。
従って、発光素子６が発した光が、これらの両方向へ導かれることになるため、使用者は、本体ケース１の一部とバンド４とが発光しているように見えるのである。
【０１６３】
図８に示した実施例では、第１の導光手段７１は、図８（ａ）に示したように、開口部５に嵌合しているため矩形形状を有しているが、もちろんこれに限定するものではない。
また、時計本体に開口部を設ける代わりに、または時計本体に開口部を設けるとともに、電子腕時計の所謂ベゼル部分に開口部５を設け、第１の導光手段７１の端面を露出しておけば、表示装置２の周囲を発光させることができる。このような構成とすれば、より一層の視認効果、装飾効果を得ることができる。
［第９の実施例：図９］
図９は、本発明の第９の実施例の電子腕時計を説明する正面図である。図９において、３０は遮光性部材、３１はバンド４の開口部である。
【０１６４】
図９（ａ）は、導光手段７ａ，７ｂの表面の一部に、遮光性部材３０を配置している。
遮光性部材３０は、文字，記号，図形等の形状をしており、導光手段７ａ，７ｂに光が入射すると、遮光性部材３０の周囲は発光するが、遮光性部材３０の下からの光は遮光されるので、遮光性部材３０の形状が際立ち、高い装飾効果を得ることができる。
【０１６５】
図９（ａ）に示した実施例では、遮光性部材３０は、「１」と「２」という文字の形状である。
また、遮光性部材３０を含む導光手段７ａ，７ｂの表面に、図示しないが、知られているハーフミラー処理層を設置することにより、導光手段７ａ，７ｂに光が入射した場合のみに、遮光性部材３０の形状が視認可能とすることができる。これにより、より一層の装飾効果を得ることができる。
【０１６６】
図９（ｂ）は、導光手段７ａ，７ｂの表面の一部に、開口部３１を配置しており、この開口部３１から、導光手段７ａ，７ｂの発光を視認できるようになっている。
開口部３１は、文字，記号，図形等の形状をしており、導光手段７ａ，７ｂに光が入射すると、バンド４の表面は開口部３１の周囲が遮光性であるので、バンド４の開口部３１のみが発光するので、所定の形状の模様などを発光により際立たせることができる。
【０１６７】
図９（ｂ）に示した実施例では、開口部３１は、月と星との模様である。
これにより、バンド４を所定の形状や模様にワンポイントで発光させることができ、高い装飾効果を得ることができる。
【０１６８】
また、開口部３１を透明樹脂や半透明樹脂などで封止させてもよい。これにより、非発
光時の質感や装飾性を向上させることができる。
［第１０の実施例：図１０］
図１０は、本発明の第１０の実施例の電子腕時計を説明する正面図である。
【０１６９】
図１０において、符号４１は、バンド４を構成するコマである。
図１０は、金属や樹脂部材よりなる複数のコマを繋ぎ合わせて構成するバンド４において、本体ケース１との接続端部となるコマ４１に導光手段７を設置している実施例を示すものである。
【０１７０】
このような構成とすることにより、バンド４の長さを調節するときには、導光手段７を設置しているコマ４１とは異なるコマ４１を取り除いたり加えたりすることによって、バンド４の発光機能を維持したまま容易にバンド４の長さ調節が可能である。
【０１７１】
また、図示はしないが、コマごとに導光手段７を設けてもよい。その場合は、コマ同士が当接する端部に開口部を設け、導光手段７の端部を設けて、複数のコマの導光手段７をを連続して光が導光されるようにすることにより、コマ同士を連結する連結具があっても発光素子６から出射される光を導光することができる。
【０１７２】
すなわち、導光手段７を持つコマを取り除いたり追加したりしても、バンド４の発光機能に支障がなく、バンド４の発光機能を維持したまま容易に長さを調節することができる。
【０１７３】
また、複数のコマのうち、発光させるコマは、全部を発光させる場合の他、例えば、１個おきに発光させるなど、適宜選択することができ、このような発光状態を選択することによって、装着者に異なる情報を報知することができる。
【実施例２】
【０１７４】
以下、本発明の装着型電子機器を生体測定装置として、身体装着型運動トレーニング支援装置に適用した最良の形態を構成図を用いて説明する。
以下の実施例においては、単に身体装着型運動トレーニング支援装置と称することにする。また、生体情報を脈波として、この脈波を計測することで生体情報を得る場合を例にして説明する。
【０１７５】
さらにまた、身体装着型運動トレーニング支援装置の動作に関わる制御をＣＰＵ（Ｃｅｎｔｒａｌ  Ｐｒｏｃｅｓｓｉｎｇ  Ｕｎｉｔ：中央処理装置）を用いて行う場合を例にして説明する。
【０１７６】
さらに、以下の実施例の身体装着型運動トレーニング支援装置は、腕時計型とし使用者の手首などに装着する場合を例にして説明する。
［第１１の実施例：図１１、図１２］
図１１は、本発明の第１１の実施例の身体装着型運動トレーニング支援装置の３時方向側面から見た内部の状態を模式的に示す側面図である。
【０１７７】
図１１において、１は本体ケース、２は表示装置、３はスイッチ手段、４はバンド、６は発光素子、７は導光手段、２１はＣＰＵ、２４は脈波検出部、２５は脈波Ｉ／Ｆ（インターフェース）、２６は発光駆動回路、２７は表示駆動回路、２８はスイッチＩ／Ｆである。９９は使用者であり、その視線を模式的に示している。
【０１７８】
なお、点線矢印は光路を、実践矢印は電気的な信号の流れを模式的に示している。
図１２は、本発明の身体装着型運動トレーニング支援装置の電気回路を説明するための
ブロック図である。
【０１７９】
図１２において、２２はＲＯＭ（Ｒｅａｄ  Ｏｎｌｙ  Ｍｅｍｏｒｙ：読み出し専用記憶装置）、２３はＲＡＭ（Ｒａｎｄｏｍ  Ａｃｃｅｓｓ  Ｍｅｍｏｒｙ：随時読み出し書き込み記憶装置）である。
【０１８０】
図１１においては、図面左側に本体ケース１を腕時計でいえば３時方向または９時方向から見た断面を模式的に示しており、この本体ケース１内に配設する要素への電気的な接続は、図面右側に回路ブロック図形式で表記している。
【０１８１】
発光素子６および導光手段７で第１の報知手段を構成し、表示装置２が第２の報知手段となっている。これら報知手段の動作は、ＣＰＵ２１で制御されている。
スイッチ手段３は、使用者情報入力手段である。少なくとも１つのスイッチからなる。使用者は、このスイッチ手段３を操作して使用者情報を入力する。入力された使用者情報は、スイッチＩ／Ｆ２８を介してＣＰＵ２１に送られる。
【０１８２】
ＣＰＵ２１は、本発明の身体装着型運動トレーニング支援装置の各回路を制御する中枢部となる演算処理ユニットである。
ＲＯＭ２２は、ＣＰＵ２１が実行する処理プログラムや演算処理などに必要な定数などが格納されている。ＲＯＭ２２に格納しているプログラムについては後述する。
【０１８３】
ＲＡＭ２３は、ＣＰＵ２１が実行する演算処理結果などを一時的に格納しておくことのほか、使用者の年齢や安静時心拍数などの使用者情報を格納する。
また、本発明の身体装着型運動トレーニング支援装置を使用するたびに使用者情報を入力することはわずらわしいため、使用者情報を保持しておくことが望ましい。このため、ＲＡＭ２３は、電気的に書き換え可能な不揮発性記憶装置で構成することができる。
【０１８４】
脈波検出部２４は、使用者の脈波を検出する検出部であって、特に限定しないが、胸部に装着して脈波を検出する電極を持った胸ベルト状の心電位検出方式や、耳朶や指先に挟んで装着して血流の変化を発光素子と受光素子とを利用して光で脈波を検出する光学方式、生体の心臓の鼓動が血管の拡張と収縮運動となって皮膚に伝達し、この皮膚の表面振動を検出する圧力容積振動法を用いた方式などを用いることができる。
【０１８５】
これらの構成や動作については、すでに知られているものであるからその説明は省略する。
脈波検出部２４は、本体ケース１またはバンド４に設けることもできるが、これらと独立した別体とすることもできる。そのような場合は、脈波検出部２４とＣＰＵ２１とは、有線または無線で信号の送受を行う。
【０１８６】
脈波Ｉ／Ｆ２５は、脈波検出部２４のアナログ出力信号を所定の間隔で取り込み、デジタル信号に変換して出力する。図示はしないが、脈波検出部２４からの出力信号が無線送信される場合は、これを受信するための受信回路を有する。
【０１８７】
発光駆動回路２６は、ＣＰＵ２１からの制御情報に応じて発光素子６に流れる電流を制御する。電流制御は、アナログ制御であっても、時分割駆動によるデジタル制御であってもよい。
【０１８８】
発光素子６は、本体ケース１の内部に配置し、導光手段７をバンド４に配置することにより、発光素子６が発した光が、バンド４に設置された導光手段７に入射する。
導光手段７は、入射光をバンド４の厚さ方向外側に散光することで、使用者から視認可
能となるようにする。このようにすることで、バンド４に発光素子を設けなくても、バンド４を発光させることができる。
【０１８９】
もちろん、本体ケース１に図示しない開口部を設け、図８の実施例と同様に、風防ガラス１１方向の開口部５を埋めるように、開口部に導光手段７を嵌合しておけば、その開口部から発光素子６からの光を散光させることができる。
【０１９０】
このような構成とすることによって、本体ケース１の一部を発光させることができる。
この発光素子６および導光手段７で第１の報知手段を構成するが、導光手段７は、複数設けることができる。これにより、発光素子６が発する光をより多くバンド４に伝達し、バンド４をより鮮明に発光させることができる。
【０１９１】
また、導光手段の形状などにより、バンド４を所定の状態に発光させることができるから、バンド４の発光面積を大きくしても、本装置としての消費電力が増加することはないのである。
【０１９２】
なお、バンド４と本体ケース１との接続は、知られている腕時計のバンド留め構造をもって行うことができるから、その説明は省略する。
表示駆動回路２７は、ＣＰＵ２１からの表示情報を受け取ると、表示装置２に必要な形式の電気信号に変換して出力することで表示装置２を駆動する。
【０１９３】
スイッチＩ／Ｆ２８は、スイッチ手段３を操作して入力された使用者情報をＣＰＵ２１が受信できる形式の電気信号に変換して出力する。ＣＰＵ２１はこれを受け取り、使用者情報として取り込みＲＡＭ２３に格納する。
【０１９４】
表示装置２は、第２の報知手段であって、心拍数やトレーニング指標や時刻や使用者情報や装置情報などを表示する。
発光素子６および導光手段７による第１の報知手段は、使用者が運動中であっても本発明の身体装着型運動トレーニング支援装置からの支援情報や装置情報を報知することができ、これは使用者の注意を引き付ける役割が強い報知手段であるのに対して、この第２の報知手段は、より詳細な情報の報知を行うものである。
【０１９５】
表示装置２は、例えば、液晶表示装置を用いることができる。液晶表示装置は、文字または絵文字を表示することができるとともに、軽量で低消費電力な表示装置として好適である。液晶表示装置は、カラー表示ができるもの、ドットマトリクス表示によるグラフィックス表示ができるものを用いてもかまわない。
【０１９６】
また、表示装置２は、強誘電性液晶表示装置などのメモリ性を有する液晶表示装置を用いることもできる。メモリ性を有する液晶表示装置は、表示を切り替えるときのみ電力を必要とし、一度表示をするとその状態を保持し、その保持には電力を消費しないという特性を有している。このため表示装置２は、その表示中は電力を消費せず、装置として低消費電力化が行える。
【０１９７】
もちろん、アナログ表示式時計のように指針により情報を表示する、所謂アナログ表示式の文字盤であってもよい。
ＣＰＵ２１は、脈波Ｉ／Ｆ２５からのデジタル信号から脈波を検出し、使用者の心拍数を心拍数算出手段を用いて算出する。
【０１９８】
心拍数とは、すでに説明したとおり、１分間の心拍の数として扱うことが一般的であるが、その心拍数の算出方法は、特に限定しないが、例えば、１０秒間脈波を検出し、その
脈波の検出数を６倍して１分間の心拍数を得る方法や、一定の間生体の脈波を検出し、その脈波の周期の平均値を出し、１分間をその平均値で除算して心拍数を得る方法などがある。
【０１９９】
心拍数算出手段はこれらの方法を用いており、ＲＯＭ２２に動作プログラムとして格納している。ＣＰＵ２１はこれを読み出して実行する。
スイッチ手段３は、スイッチＩ／Ｆ２８を介してＣＰＵ２１と電気的に接続されている。すでに説明したように、スイッチＩ／Ｆ２８は、スイッチ手段３の操作をＣＰＵ２１が利用できる電気信号に変換して出力する。
【０２００】
使用者の操作によるスイッチ手段３によって、使用者の年齢や安静時心拍数や目標心拍数や目標運動強度などの使用者情報を入力したり、本発明の身体装着型運動トレーニング支援装置の機能の選択や機能の開始や停止や有効や無効などを指示したりすることができる。例えば、発光素子６の発光個所，発光条件，発光パターンの変更などである。
【０２０１】
スイッチ手段３には、ＲＯＭ２２に格納されている動作プログラムに対応して複数の文字列や機能が割り当てられており、操作によって、それらの文字列や機能を入力する。なお、１つのスイッチに複数の文字列などを割り当てておき、それらを操作して情報を入力する構成は、携帯型電話機やＰＤＡ（Ｐｅｒｓｏｎａｌ  Ｄｉｇｉｔａｌ  Ａｓｓｉｓｔａｎｔｓ：個人用携帯情報端末）などの小型情報機器の入力手段に広く用いられているものであるので、その説明は省略する。
【０２０２】
スイッチ手段３は、複数個を用意することが望ましいが、それぞれのスイッチ手段３に割り当てる機能によって、それぞれの大きさや形状を変えることもできる。このようにすることで、より一層の操作性の向上が期待できる。
【０２０３】
ＣＰＵ２１は、使用者情報入力手段であるスイッチ手段３を用いて予め入力する使用者情報を基にして、目標心拍数を算出する。あるいは、使用者情報に目標心拍数が入力されていればそれを任意に設定した目標心拍数とする。
【０２０４】
ＣＰＵ２１は、入力された使用者情報から算出した目標心拍数と計測した生体情報から算出した心拍数とを比較演算手段を用いて比較する。この比較演算手段は、ＲＯＭ２２に動作プログラムとして格納しており、ＣＰＵ２１はこれを読み出して実行する。
【０２０５】
この比較演算手段により得られた比較結果や計測した心拍数などの支援情報は、適宜ＲＡＭ２３に格納されるが、報知手段を用いて報知する。
報知手段は、第１の報知手段と第２の報知手段とを有しているから、第１の報知手段である発光素子６および導光手段７の発光を制御してバンド４を発光させて報知し、第２の報知手段である表示装置２へ文字や絵文字を用いて詳細を表示して報知する。
【０２０６】
このように、脈波から得られる情報を基にトレーニング指標となる支援情報を生成して、２つの報知手段を用いて使用者へ情報の伝達を行うものである。
なお、説明では心拍数を基準にしているが、逆算して運動強度を基準にしてもよい。
【０２０７】
第１の報知手段と第２の報知手段とは、それぞれ所定の周期で支援情報を更新することもできる。もちろん、それぞれを同期あるいは非同期にして支援情報を更新して報知してもよい。
【０２０８】
支援情報の更新とは、例えば、第２の報知手段である表示装置２に表示している情報を一定時間ごと書き換えるものである。
表示駆動回路２７が外部から印加する静電気や磁気などによって誤動作し、表示装置２に意味不明の文字列の表示などがあったとしても、半ば強制的に所定の周期で表示装置２に表示すべき情報を再度ＣＰＵ２１からの指示で書き直すことで、表示装置２は誤った表示を続けることはないのである。所定の周期とは、特に限定しないが、例えば、１秒である。
【０２０９】
また、計測した心拍数の変化を検出したり、計測した心拍数と目標心拍数との比較結果の変化を検出したりした場合に支援情報を更新して報知するようにしてもよい。
さらに、所定の周期で支援情報を更新して報知するようにして、計測した心拍数の変化を検出したり、計測した心拍数と目標心拍数との比較結果の変化を検出したりした場合は即座に支援情報を更新して報知するようにしてもよい。
【０２１０】
表示装置２は、すでに説明したように、メモリ性を有する液晶表示装置を用いることができる。
メモリ性を有する液晶表示装置を用いた場合は、表示されている情報はその情報や表示内容が改変されるときまで保持されるから、所定の周期が到来しても書き換えないことにすれば、無駄な情報の書き換えを低減することができる。このように構成することによって、さらに表示に関わる消費電力を低減することができる。
【０２１１】
このように、支援情報を更新することで、第１の報知手段によるトレーニング指標の報知の即時性を維持し、かつ、第２の報知手段による情報の表示に関わる消費電力の上昇を抑制することができるのである。
【０２１２】
なお、第１の報知手段と第２の報知手段とは、複数の支援情報を時分割にして報知してもよい。
検出される脈波に同期して発光素子６を制御してもよい。例えば、計測開始から所定の時間、あるいは、所定の脈数を検出するまで、脈波に同期して発光素子６を制御することで、正しく装置を装着して動作できているか否かを表すことができる。
【０２１３】
このようにすることで、使用者は正しく計測が開始できているかを知りえることができるため、使用者へ安心感を与えることができる。
逆に、所定の時間、脈波を検出できない状態が続いた場合、発光素子６を制御して、使用者へ装置の再装着を促すようにしてもよいし、使用者が装置を外したと判断して、計測を中断することで、消費電力の上昇を制限するようにしてもよい。
【０２１４】
もちろん、装置の再装着を促す報知と計測の中断とをそれぞれ順に処理するようにしてもよい。
発光素子６による報知は、例えば、オーバートレーニング状態（トレーニングのやりすぎ状態）であれば速い点滅、アンダートレーニング状態（トレーニングが足りない状態）であれば遅い点滅、目標のトレーニング状態であれば消灯、など発光の変化をもって表現してもよいし、発光素子６の輝度の変化、発光素子６の発光色の変化、複数の発光素子６の発光の選択をもって表現してもよい。
【０２１５】
もちろん、自由に組み合わせて表現してもよいし、トレーニング指標以外の情報を報知してもよい。
例えば、第１の報知手段には、本発明の身体装着型運動トレーニング支援装置の情報も表示することができる。
【０２１６】
すなわち、図示しない電池残量検出手段からの情報を元に発光素子６を制御して一定時間、電池残量を報知するようにすることができる。もちろん、スイッチ手段３の操作によ
って、電池残量検出手段による発光素子６の制御を有効化したり無効化したりすることもできる。
【０２１７】
電池残量検出手段としては、例えば、Ａ／Ｄ変換器により電池電圧を検出して電池残量を推定する。これにより、例えば、電池残量が著しく減ったことを検出した場合に発光素子６の制御において点灯時間を所定の時間より短くしたり、発光素子６の発光を無効化したりすることで消費電力の上昇を制限でき、本発明の身体装着型運動トレーニング支援装置の稼働時間を増やすことができる。
【０２１８】
また、電池残量がほとんどない状態や一部のシステムの稼動停止などの装置の異常状態が起きた場合は、これを報知するようにすることができる。その報知として、発光素子６を制御して一定時間、装置の異常状態を報知する。
【０２１９】
もちろん、スイッチ手段３の操作によって装置の異常状態による発光素子６の制御を有効化したり無効化したりしてもよい。
異常状態の検出手段としては、所定の回路の応答が一定時間なくなったことを検出したりすることで検出することができる。
【０２２０】
装置の異常状態の報知は、装置が正常状態であるときの報知と異なるようにしなければならないが、例えば、心拍数としては有り得ない周期、例えば、１分間におおよそ３０回以下、あるいは、１分間におおよそ２２０回以上で点滅したり、明らかに脈とは異なる不規則な点滅周期で繰り返して点滅したりすればよい。
【０２２１】
既に述べてきたように、特に視認性に優れる第１の報知手段である発光素子６および導光手段７の報知に重要度の高い意味を持たせて報知することで、使用者はいち早い運動トレーニングの修正や装置の状態に対応した対処が可能となる。
【０２２２】
しかしながら、第１の報知手段による報知の意味を使用者が忘れてしまう場合も考えられる。例えば、電池残量の低下などは頻繁に発生せず、その報知パターンを見ることは少なく、その報知により使用者は何等かの変化があったことを認識してもその意味を理解できないなどの場合である。
【０２２３】
このために、第２の報知手段である表示装置２へ第１の報知手段の報知内容の詳細をも表示して報知している。これにより本発明の身体装着型運動トレーニング支援装置に慣れていない使用者であったとしても表示装置２を見ることで、発光素子６の報知とその意味とその関連性とを確認することが可能となり、本発明の身体装着型運動トレーニング支援装置を活用する手助けにもなるのである。
【０２２４】
図１３は、第２の報知手段である表示装置２に情報を表示している実施例を説明する正面図である。
図１３において、５１はドットマトリクス表示エリア、５２はセグメント表示エリア、５６，５７はアイコン（絵文字）である。
【０２２５】
すでに説明した構成には同一の番号を付与している。
ドットマトリクス表示エリア５１には、目標心拍数と搭載されている電池残量とを表示している。セグメント表示エリア５２には、現在計測している心拍数を表示している。
【０２２６】
図１３の実施例では、目標心拍数表示５３は心拍数が１２０、現在の心拍数表示５５は心拍数が１３２という値を示している。電池残量表示５４は、電池を指し示す模様が空欄となっており、しかも「ＬｏｗＢａｔｔｅｒｙ」と表示し、電池残量がほとんどないとい
う状態を示している。
【０２２７】
アイコン５７は、入力して設定した目標心拍数より現在の心拍数が高いことを示す表示になっている。また、アイコン５６は脈波に同期して点滅することで脈波を正しく検出していることを示す表示になっている。
【０２２８】
もちろん、本発明の身体装着型運動トレーニング支援装置の表示例はこれに限定されないが、このように、第１の報知手段を光による報知とし、第２の報知手段を文字や絵文字とすることで、使用者が欲する情報をいち早く報知することができる。
【０２２９】
以上説明した実施例では、第１の報知手段と第２の報知手段とがほぼ同一の報知内容か、その報知内容が重複する場合を説明したが、もちろんこれに限定するものではない。例えば、発光素子６を使用者への報知のトリガとして、表示装置２の閲覧を促すようにしてもよい。一例をあげると、第１の報知手段が激しく点滅するなどである。
【０２３０】
そのような場合、第１の報知手段の報知内容と第２の報知手段の報知内容とが異なっていてもよいのである。例えば、運動中に目標心拍数に到達しそうな状態になったとすると、第１の報知手段では、その旨を示す発光パターンで報知し、第２の報知手段では、計測している現在の心拍数を表示するのである。
【０２３１】
本発明の身体装着型運動トレーニング支援装置において、発光素子６および導光手段７からなる第１の報知手段の形状は、図１１に示した実施例に限定されるものではなく、例えば、上述した図１〜図１０の実施例と同様に自由に選択することができる。
【０２３２】
なお、図示していないが、発光素子６は、表示装置２を背面から照らすバックライトと兼用になる構成にしてもよい。
また、本発明の身体装着型運動トレーニング支援装置は、発光素子６を図示しないセンシング手段からの信号入力をトリガとして所定の時間、トレーニング指標を報知するようにしてもよい。その際は、スイッチ手段３によってセンシング手段を有効化したり無効化したりしてもよい。
【０２３３】
センシング手段としては、例えば、振動を検知して信号を出力する振動センサ、傾斜を検知して信号を出力する傾斜センサ、加速度を検知して信号を出力する加速度センサ、温度センサや気圧センサ、電波の受信を検知して信号を出力するセンサなどである。
【０２３４】
これらのセンシング手段は、スイッチ手段３の役割を持たせることができる。すなわち、例えば、使用者は本発明の身体装着型運動トレーニング支援装置を装着した腕を強く振ったり、叩いたりすることで、スイッチ手段３を操作せずともトレーニング指標を報知するための発光素子６の制御を一時的に作動させることが可能になる。このように構成することによって、消費電力を低減させて、かつ、煩わしいスイッチ操作から開放することができる。特に運動中においては有用である。
【０２３５】
以上説明した本発明の身体装着型運動トレーニング支援装置は、搭載する表示装置２を必要以上に拡大することなくバンド４の発光による視認性と表現の多様性の向上と装置としての装着感や十分な稼働時間、更にはファッション性の向上をも成しえることができる。
【実施例３】
【０２３６】
［第１２の実施例：図１４、図１５］
図１４は、本発明の第１２の実施例の電子腕時計を説明する正面図、図１５は、図１４
の電子腕時計を３時方向側面から見た内部の状態を模式的に示す側面図である。
【０２３７】
この実施例の電子腕時計は、図１に示した実施例と基本的には同様な構成であり、同一の構成部材には、同一の参照番号を付して、その詳細な説明を省略する。
この実施例の電子腕時計では、本体ケース１内に、赤色（Ｒ）ＬＥＤ発光素子、緑色（Ｇ）ＬＥＤ発光素子、青色（Ｂ）ＬＥＤ発光素子の３色のＬＥＤから一体に構成したＬＥＤ発光素子３４を配設している。
【０２３８】
そして、このＬＥＤ発光素子３４は、図示しない、本体ケース１内に配置した制御装置の制御によって、赤色（Ｒ）、緑色（Ｇ）、青色（Ｂ）の３色の波長を選択的に発光できるように構成されている。
【０２３９】
一方、バンド４には、図１４および図１５に示したように、導光手段７が配設されており、この導光手段７のバンドの表面側に、ＬＥＤ発光素子３４の赤色（Ｒ）ＬＥＤ発光素子から発光された赤色（Ｒ）の光のみを透過する赤色（Ｒ）フィルター３５、ＬＥＤ発光素子３４の緑色（Ｇ）ＬＥＤ発光素子から発光された緑色（Ｇ）の光のみを透過する緑色（Ｇ）フィルター３６、ＬＥＤ発光素子３４の青色（Ｂ）ＬＥＤ発光素子から発光された青色（Ｂ）の光のみを透過する青色（Ｂ）フィルター３７、がそれぞれ配置されている。
【０２４０】
そして、これらの赤色（Ｒ）フィルター３５、緑色（Ｇ）フィルター３６、青色（Ｂ）フィルター３７のそれぞれの上面（バンドの表面側）に、赤色（Ｒ）指標部３８、緑色（Ｇ）指標部３９、青色（Ｂ）指標部４０が形成されており、フィルター３５〜３７を透過した赤色（Ｒ）、緑色（Ｇ）、青色（Ｂ）の光により発光するようになっている。
【０２４１】
このようにフィルター３５〜３７の表面に、ＬＥＤ発光素子３４からの光のうち、フィルター３５〜３７を透過した所定の波長の光により発光する指標部３８〜４０が形成されていれば、この指標部の形状、種類、配置位置を変更することによって、発光色、発光箇所を自由に選択できるので、発光箇所やその模様を自由に演出することができ、発光による視認性やファッション性の向上を図ることができる。
【０２４２】
なお、上記実施例では、本体ケース１内に、赤色（Ｒ）ＬＥＤ発光素子、緑色（Ｇ）ＬＥＤ発光素子、青色（Ｂ）ＬＥＤ発光素子の３色のＬＥＤから一体に構成したＬＥＤ発光素子３４を配設したが、もちろん、ＬＥＤ発光素子３４は、印加する駆動電流を制御することにより赤色（Ｒ）、緑色（Ｇ）、青色（Ｂ）を発色できるカラーＬＥＤであってもよい。
【０２４３】
また、別々の赤色（Ｒ）ＬＥＤ発光素子、緑色（Ｇ）ＬＥＤ発光素子、青色（Ｂ）ＬＥＤ発光素子を配設することももちろん可能である。
なお、この場合、ＬＥＤ発光素子３４の赤色（Ｒ）ＬＥＤ発光素子、緑色（Ｇ）ＬＥＤ発光素子、青色（Ｂ）ＬＥＤ発光素子の３色のＬＥＤを個別に発光させて、指標部３８〜４０を個別発光させることも、これらのＬＥＤの発光させる組み合わせを変えて、発光させる指標部３８〜４０を選択することも可能である。
【０２４４】
さらには、ＬＥＤ発光素子３４の赤色（Ｒ）ＬＥＤ発光素子、緑色（Ｇ）ＬＥＤ発光素子、青色（Ｂ）ＬＥＤ発光素子の３色のＬＥＤを全て発光させて、指標部３８〜４０を全て発光させることももちろん可能である。
【０２４５】
この実施例の場合にも、導光手段７、指標部などの配置、形状などは、この実施例に限定されるものではなく、例えば、上述した図１〜図１０の実施例と同様に自由に選択することができる。
［第１３の実施例：図１６］
図１６は、本発明の第１３の実施例の電子腕時計を説明する電子腕時計を３時方向側面から見た内部の状態を模式的に示す側面図である。
【０２４６】
この実施例の電子腕時計は、図１４〜図１５に示したと基本的には同様な構成であり、同一の構成部材には、同一の参照番号を付して、その詳細な説明を省略する。
この実施例の電子腕時計では、図１６に示したように、本体ケース１内に、複数の紫外線発光素子（ＵＶ−ＬＥＤ）６１を配設している。
【０２４７】
そして、この紫外線発光素子６１はそれぞれ、図示しない、本体ケース１内に配置した制御装置の制御によって、独立してそれぞれ異なった波長幅を持つ紫外線を発光できるように構成されている。
【０２４８】
一方、バンド４には、図１６に示したように、導光手段７が配設されており、この導光手段７のバンドの表面側に、紫外線発光素子６１それぞれに対応して、紫外線発光素子６１から発せられたそれぞれ異なった波長幅を持つ紫外線を選択して透過できる、バンドパスフィルタ６２，６３，６４がそれぞれ配置されている。
【０２４９】
そして、これらのバンドパスフィルタ６２，６３，６４のそれぞれの上面に、バンドパスフィルタ６２，６３，６４を透過し、異なった波長幅を持つ紫外線により、それぞれ選択的に発光する蛍光体から構成される指標部６５，６６，６７が形成されている。
【０２５０】
さらに、指標部６５，６６，６７の上面（バンドの表面側）には、紫外線フィルター６８が配設されている。この紫外線フィルター６８は、外部の紫外線によって、指標部６５，６６，６７が発光しないように、例えば、波長４００ｎｍ以下の紫外線をカットするように構成されている。
【０２５１】
このように、発光素子６が、紫外線発光素子（ＵＶ−ＬＥＤ）６１である場合には、バンドパスフィルタ６２，６３，６４を配置することによって、紫外線発光素子６１から発せられた紫外線の波長を選択して透過させ、紫外線により所定の色に発光する蛍光体を配置しておけば、発光箇所、形状などを選択することができ、発光による視認性やファッション性の向上を図ることができる。
【０２５２】
なお、この場合、紫外線発光素子６１から発せられた紫外線の波長を選択して個別に発光させて、指標部６５〜６７を個別発光させることも、これらの紫外線発光素子６１の発光させる組み合わせを変えて、発光させる指標部６５〜６７を選択することも可能である。
【０２５３】
さらには、紫外線発光素子６１を全て発光させて、指標部６５〜６７を全て発光させることももちろん可能である。
なお、この実施例では、発光素子６として、紫外線発光素子（ＵＶ−ＬＥＤ）６１を用いた実施例について説明したが、発光素子６として、紫外線以外の波長を有する発光素子、例えば、電子線発光素子を用いることも可能であることはもちろんである。
【０２５４】
この実施例の場合にも、導光手段７、指標部などの配置、形状などは、この実施例に限定されるものではなく、例えば、上述した図１〜図１０の実施例と同様に自由に選択することができる。
［第１４の実施例：図１７］
図１７は、本発明の第１４の実施例の電子腕時計を説明する電子腕時計を３時方向側面から見た内部の状態を模式的に示す側面図である。
【０２５５】
この実施例の電子腕時計は、図１に示した実施例と基本的には同様な構成であり、同一の構成部材には、同一の参照番号を付して、その詳細な説明を省略する。
この実施例の電子腕時計では、図１７に示したように、バンド４に配置した導光手段７が、光ファイバー６９から構成されている。
【０２５６】
この光ファイバー６９は、石英ガラスやプラスチックで形成される屈折率の高い中心部のコア８０と、その周囲を覆う屈折率の低いクラッド８１の二層構造で構成されている。そして、設計に際してバンド４を真っ直ぐな状態として構成して、人の手首に装着して曲げた状態で、矢印Ａで示したように、光の入射角度が反射の臨界角度を越えた場合に、バンド４の表面側のクラッド８１から放出されるようになっている。
【０２５７】
このように構成することによって、本体ケース１内に配設した発光素子６が発する光が、光ファイバー６９を介して確実に導光されて、バンド４の表面から確実に放出されるとともに、バンド４の構造を複雑にすることなく、バンド４の発光による視認性やファッション性の向上を図ることができる。
【０２５８】
この実施例の場合にも、導光手段７、指標部などの配置、形状などは、この実施例に限定されるものではなく、例えば、上述した図１〜図１０の実施例と同様に自由に選択することができる。
［第１５の実施例：図１８］
図１８は、本発明の第１５の実施例の電子腕時計を説明する電子腕時計を３時方向側面から見た内部の状態を模式的に示す側面図である。
【０２５９】
この実施例の電子腕時計は、図１に示した実施例と基本的には同様な構成であり、同一の構成部材には、同一の参照番号を付して、その詳細な説明を省略する。
この実施例の電子腕時計では、図１８に示したように、バンド４に配置した導光手段７が、両面に回折格子（ホログラム）８２，８３を備えた導光部材８４から構成されている。
【０２６０】
そして、この導光部材８４の発光素子６側には、入射プリズム８５が形成されている。なお、この入射プリズム８５は、導光部材８４と一体成形されるか、または、プリズム単体にて作製されたものを導光部材８４に接着させることによって作製することができる。
【０２６１】
上記の回折格子（ホログラム）８２，８３は、所定の角度で入射した所定の波長の光を回折して、図１８の矢印Ｂで示したように、所定角度で出射するように構成されている。
従って、このような導光部材８４をバンド４の全体または一部に配置することによって、バンド全体またはバンドの一部を選択的に発光させることができる。
【０２６２】
また、バンド４の表面に回折格子（ホログラム）８２の形状を、文字、絵などの形状とすることによって、視認性やファッション性の向上を図ることができる。
なお、この場合に、発光素子６として、白色光を用いることによって、回折格子７２から放出される光が、見る角度によって色が変化して、視認性やファッション性の向上を図ることができる。
【０２６３】
このように構成することによって、本体ケース１内に配設した発光素子６が発する光が、両面に回折格子８２，８３を備えた導光部材８４によって、確実に導光されて、回折格子のスリットの隙間で回折されて、バンド４の表面から確実に放出されるとともに、バンド４の構造を複雑にすることなく、バンド４の発光による視認性やファッション性の向上を図ることができる。
【０２６４】
この実施例の場合にも、導光手段７、指標部などの配置、形状などは、この実施例に限定されるものではなく、例えば、上述した図１〜図１０の実施例と同様に自由に選択することができる。
［第１６の実施例：図１９、図２０］
図１９は、本発明の第１６の実施例の電子腕時計を説明する電子腕時計を３時方向側面から見た内部の状態を模式的に示す側面図、図２０は、図１９の電子腕時計の正面図である。
【０２６５】
この実施例の電子腕時計は、図１に示した実施例と基本的には同様な構成であり、同一の構成部材には、同一の参照番号を付して、その詳細な説明を省略する。
この実施例の電子腕時計では、図１９に示したように、本体ケース１の開口部５に、液晶素子８６が配置されている。
【０２６６】
そして、図１９および図２０に示したように、バンド４の導光手段７のバンド表面側に、相互に直交する偏向角を有する複数の指標偏向部材、この実施例では、２個の指標偏向部材８７，８８が設けられている。
【０２６７】
これらの指標偏向部材８７，８８は、図１９に示したように、バンド４の短手方向に位置をずらして配置することによって、互いの光路を妨害しないように構成されている。
また、このようにバンド４の短手方向に位置をずらして配置された指標偏向部材８７，８８の真下の位置には、導光手段７内に、例えば、ミラーやプリズムなどの光路変更手段９５，９６を設けてあり、これにより、図１９の矢印で示したように、本体ケース１内に配置された発光素子６が発する光が、液晶素子８６を通過して、バンド４側の導光手段７に導かれ、その後、光路変更手段９５，９６によって、指標偏向部材８７，８８に向かって光の向きが変更されるように構成されている。
【０２６８】
そして、本体ケース１に設けられた図示しない制御装置によって、液晶素子８６に印加する電圧を変化させることにより、指標部を構成する複数の指標偏向部材８７，８８を選択して散光させるように構成されている。
【０２６９】
このように構成することによって、本体ケース１内に配置された発光素子６が発する光が、液晶素子８６を通過して、バンド４側の導光手段７に導かれる。
そして、液晶素子８６に印加する電圧を変化させることにより、液晶素子８６を通過した光は、所定の偏向角度を有するようになるので、この偏向角度に応じた偏向角を有する指標偏向部材８７，８８から、バンド４の表面から光を放出させることができる。
【０２７０】
すなわち、図示しないが、本体ケース１内に配置された発光素子６と液晶素子８６との間に、例えば、水平振幅を持つ光を透過する指標偏向部材を配置して、液晶素子８６の電圧を制御することによって９０度偏向を有効化（ＯＮ制御）する。
【０２７１】
これにより、液晶素子８６を通過した光は、垂直方向に偏向された光となり、例えば、指標偏向部材８７が、水平振幅を持つ光を透過する指標偏向部材であれば、液晶素子８６を通過した光は、液晶素子８６を通過した垂直方向に偏向された光が遮断されることになる。
【０２７２】
一方、この場合、例えば、指標偏向部材８８が、垂直振幅を持つ光を透過する指標偏向部材であれば、液晶素子８６を通過した垂直方向に偏向された光が透過されることになる。
【０２７３】
さらに、液晶素子８６の電圧を制御することによって９０度偏向を無効化（ＯＦＦ制御）することによって、液晶素子８６を水平振幅を持つ光が透過して、例えば、指標偏向部材８７が、水平振幅を持つ光を透過する指標偏向部材であれば、液晶素子８６を通過した水平振幅を持つ光が透過されることになる。
【０２７４】
一方、この場合、例えば、指標偏向部材８８が、垂直振幅を持つ光を透過する指標偏向部材であれば、液晶素子８６を通過した水平振幅を持つ光が遮断されることになる。
この場合、液晶素子８６には、知られているセグメント液晶パネルやドットマトリクス液晶パネルや、絵、文字、記号などのパターンを、液晶素子８６のバンド４側の表面８６ａに備える液晶パネルを使用でき、CPU２１の制御に基づき、例えば、点滅や液晶パター
ンの変更を行なっても良い。
【０２７５】
すなわち、ドットマトリックス液晶パターンを適宜変更することができ、そのパターンは何ら限定されるものではないが、図示しないが、例えば、全透過パターン、斑点模様に透過するパターン、縞模様（縦縞、横縞、斜め縞）に透過するパターン、透過領域を制限するパターンなどとすることができ、また、これらのパターン領域を任意に選択して点滅させることも可能である。
【０２７６】
従って、液晶素子８６に印加する電圧を変化させるだけで、発光箇所、形状などを選択することができ、発光による視認性やファッション性の向上を図ることができ、バンド４の構造を複雑にすることなく、バンド４の発光による視認性やファッション性の向上を図ることができる。
【０２７７】
この実施例の場合にも、導光手段７、指標部などの配置、形状などは、この実施例に限定されるものではなく、例えば、上述した図１〜図１０の実施例と同様に自由に選択することができる。
［第１７の実施例：図２１、図２２］
図２１は、本発明の第１７の実施例の電子腕時計を説明する電子腕時計を３時方向側面から見た内部の状態を模式的に示す側面図、図２２は、図２１の電子腕時計の回路構成図である。
【０２７８】
この実施例の電子腕時計は、図１に示した実施例と基本的には同様な構成であり、同一の構成部材には、同一の参照番号を付して、その詳細な説明を省略する。
この実施例の電子腕時計では、図２１に示したように、発光素子６が、本体ケース１内に配設した信号用ＬＥＤ８９を構成している。
【０２７９】
そして、本体ケース１の開口部５を介して、信号用ＬＥＤ８９に対向するように、バンド４の内部に、フォトディテクター９０が配置されている。
また、このフォトディテクター９０は、バンド４の内部に配置されたＦＰＣ（フレキシブルプリント基板）９１に実装されており、このＦＰＣ（フレキシブルプリント基板）９１には、表示用ＬＥＤ９２と、表示用電池９３とが配置され、これらの部材とフォトディテクター９０とが配線パターンによって接続されている。
【０２８０】
従って、この実施例では、フォトディテクター９０，ＦＰＣ（フレキシブルプリント基板）９１，表示用ＬＥＤ９２と、表示用電池９３とによって、導光手段７が構成されていることになる。
【０２８１】
このように構成することによって、図２１および図２２に示したように、本体ケース１内に配設した信号用ＬＥＤ８９からの光が、バンド４内に配置したフォトディテクター９０で受光される。そして、フォトディテクター９０によって、表示用ＬＥＤ９２を駆動し
て点灯するように構成されている。なお、図２２中、符号９４は、信号用ＬＥＤ８９を点灯させるための電源手段であり、電子腕時計の電源と兼ねることもできる時計用電池である。
【０２８２】
このように構成することによって、本体ケース１、バンド４にそれぞれ、時計用電池９４，表示用電池９３が配置されているので、電源のやり取りが必要でないので、接続用のコネクターが不要になるため、バンド接続構造が単純になる。また、専用電池で表示するため時計内部の電池を消費せず、時計の動作に影響を与えることがない。さらに、バンド４の側の表示用ＬＥＤ９２だけの交換が可能で便利である。
【０２８３】
なお、上記実施例では、バンド４を手首に装着するようにしたが、例えば、腕、足首、膝部、指、首などその他の生体部位に装着するように構成することも可能であり、また、上記実施例では、生体として人体に適用したが、例えば、チンパンジーなどの動物の健康管理などのために装着するようにすることも可能であるなど本発明の目的を逸脱しない範囲で種々の変更が可能である。
【０２８４】
また、上記実施例では、本発明の装着型電子機器として、電子腕時計に適用した場合について説明したが、本発明は何らこれらに限定されるものではなく、例えば、装着型の腕携帯電話、テレビ、玩具、電子情報端末など様々な装着型の電子機器に適用することができる。
【産業上の利用可能性】
【０２８５】
本発明の装着型電子機器は、本体ケースに設ける発光手段とバンドに設ける導光手段とによってバンドを発光させることができるため、ファッション性や他者からの視認性が高い、例えば、電子腕時計として適用することができる。本発明の装着型電子機器は、バンドには発光手段やこの発光手段を駆動するための電源手段などは必要なく、バンド自体のフィット性を損なうことはないため、特に人体へのフィット性を重視する電子腕時計として好適である。
【０２８６】
本発明の装着型電子機器を用いた生体測定装置は、本体ケースが限られた大きさであっても視認性と表現の多様性を向上させることができる。従って、腕時計型のような小型軽量を要求される装置として好適である。このため、特に精密に生体情報を測定する装置に好適である。
【図面の簡単な説明】
【０２８７】
【図１】図１は、本発明の第１の実施例の電子腕時計を説明する図であって、図１（ａ）は電子腕時計の正面図であり、図１（ｂ）は電子腕時計を６時方向から見た側面図である。
【図２】図２は、本発明の第２の実施例の電子腕時計を説明する正面図である。
【図３】図３は、本発明の第３の実施例の電子腕時計を説明する正面図である。
【図４】図４は、本発明の第４の実施例の電子腕時計を説明する正面図である。
【図５】図５は、本発明の第５の実施例の電子腕時計を説明する正面図である。
【図６】図６は、本発明の第６の実施例の電子腕時計を説明する図であって、図６（ａ）は、電子腕時計を３時方向側面から見た内部の状態を模式的に示す側面図であり、図６（ｂ）は、電子腕時計を６時方向のバンド４から見た側面図である。
【図７】図７は、本発明の第７の実施例の電子腕時計を説明する図であって、図７（ａ）は、電子腕時計の正面図であり、図７（ｂ）は、電子腕時計を３時方向側面から内部を見た状態を模式的に示す側面図である。
【図８】図８は、本発明の第８の実施例の電子腕時計を説明する図であって、図８（ａ）は、電子腕時計の正面図であり、図８（ｂ）は、電子腕時計を３時方向側面から見た内部の状態を模式的に示す側面図である。
【図９】図９は、本発明の第９の実施例の電子腕時計を説明する正面図である。
【図１０】図１０は、本発明の第１０の実施例の電子腕時計を説明する正面図である。
【図１１】図１１は、本発明の第１１の実施例の身体装着型運動トレーニング支援装置の３時方向側面から見た内部の状態を模式的に示す側面図である。
【図１２】図１２は、本発明の身体装着型運動トレーニング支援装置の電気回路を説明するためのブロック図である。
【図１３】図１３は、第２の報知手段である表示装置２に情報を表示している実施例を説明する正面図である。
【図１４】図１４は、本発明の第１２の実施例の電子腕時計を説明する正面図である。
【図１５】図１５は、図１４の電子腕時計を３時方向側面から見た内部の状態を模式的に示す側面図である。
【図１６】図１６は、本発明の第１３の実施例の電子腕時計を説明する電子腕時計を３時方向側面から見た内部の状態を模式的に示す側面図である。
【図１７】図１７は、本発明の第１４の実施例の電子腕時計を説明する電子腕時計を３時方向側面から見た内部の状態を模式的に示す側面図である。
【図１８】図１８は、本発明の第１５の実施例の電子腕時計を説明する電子腕時計を３時方向側面から見た内部の状態を模式的に示す側面図である。
【図１９】図１９は、本発明の第１６の実施例の電子腕時計を説明する電子腕時計を３時方向側面から見た内部の状態を模式的に示す側面図である。
【図２０】図２０は、図１９の電子腕時計の正面図である。
【図２１】図２１は、本発明の第１７の実施例の電子腕時計を説明する電子腕時計を３時方向側面から見た内部の状態を模式的に示す側面図である。
【図２２】図２２は、図２１の電子腕時計の回路構成図である。
【図２３】図２３は、従来の電子腕時計の正面図である。
【図２４】図２４は、従来の電子腕時計の正面図である。
【図２５】図２５は、従来の身体装着型運動トレーニング支援装置の正面図である。
【符号の説明】
【０２８８】
１     本体ケース
２     表示装置
３     スイッチ手段
４     バンド
５     開口部
６     発光素子
６ａ，６ｂ，６ｃ     発光素子
７     導光手段
７ａ，７ｂ    導光手段
８     遮光性部材
１１   風防ガラス
２４   脈波検出部
２６   発光駆動回路
２７   表示駆動回路
３０   遮光性部材
３１   開口部
３２    突起部
３４   発光素子
３５   赤色（Ｒ）フィルター
３６   緑色（Ｇ）フィルター
３７   青色（Ｂ）フィルター
３８   赤色（Ｒ）指標部
３９   緑色（Ｇ）指標部
４０   青色（Ｂ）指標部
４１   コマ
５１   ドットマトリクス表示エリア
５２   セグメント表示エリア
５３   目標心拍数表示
５４   電池残量表示
５５   心拍数表示
５６   アイコン
５７   アイコン
６１   紫外線発光素子
６２〜６４    バンドパスフィルタ
６５〜６７    指標部
６８   紫外線フィルター
６９   光ファイバー
７０ａ，７０ｂ，７０ｃ      開口部
７１   第１の導光手段
７２   第２の導光手段
８０   コア
８１   クラッド
８２，８３    回折格子
８４   導光部材
８５   入射プリズム
８６   液晶素子
８７，８８    指標偏向部材
８９   信号用ＬＥＤ
９０   フォトディテクター
９１   ＦＰＣ（フレキシブルプリント基板）
９２   表示用ＬＥＤ
９３   表示用電池
９４   時計用電池
９５，９６    光路変更手段
９９   使用者
１００ 電子腕時計本体
１０１ バンド
１０２ ケーシング
１０３ 電源部
１０４ スイッチ手段
１０５ 電池
１０６ ＥＬ素子
２００ 電子腕時計本体
２０１ 文字盤
２０２ バンド
２０３ フレキシブルパネル
２０４ スイッチ手段
２９１〜２９８       ＥＬ素子
２９９ 使用者
３００ 装置本体
３０１ ケーブル
３０２ センサユニット
３０３ リストバンド
３０８ 液晶表示装置
Ｘ     仮想直線
【図１】
2007279020.tif 000003
【図２】
2007279020.tif 000004
【図３】
2007279020.tif 000005
【図４】
2007279020.tif 000006
【図５】
2007279020.tif 000007
【図６】
2007279020.tif 000008
【図７】
2007279020.tif 000009
【図８】
2007279020.tif 000010
【図９】
2007279020.tif 000011
【図１０】
2007279020.tif 000012
【図１１】
2007279020.tif 000013
【図１２】
2007279020.tif 000014
【図１３】
2007279020.tif 000015
【図１４】
2007279020.tif 000016
【図１５】
2007279020.tif 000017
【図１６】
2007279020.tif 000018
【図１７】
2007279020.tif 000019
【図１８】
2007279020.tif 000020
【図１９】
2007279020.tif 000021
【図２０】
2007279020.tif 000022
【図２１】
2007279020.tif 000023
【図２２】
2007279020.tif 000024
【図２３】
2007279020.tif 000025
【図２４】
2007279020.tif 000026
【図２５】
2007279020.tif 000027